(57)【要約】【課題】書き換え不可の電子ペーパが複数ページの途中にある場合にも適切に表示を行うことができる表示装置及び出力装置を提供する。【解決手段】２ページ目のスレーブペーパから順に処理を実行し、書換可否情報をスレーブペーパから取得して（Ｓ３１２）、書換不可であった場合には（Ｓ３１３：ＹＥＳ）、一時保存されているページデータを取得して（Ｓ３１４）、一時書換リストに記載し（Ｓ３１６）、一定時間後に一時書換を終了するためのタイマイベントを起動して（Ｓ３１７）、書換可否情報を書換可に変更させる（Ｓ３１８）。このようにして、あらかじめ書換可にしておいた後、選択されたコンテンツを２ページ目から連続して表示させる。【選択図】図１６
2008058924.tif 000002
【特許請求の範囲】
【請求項１】
画像又は文書のページ単位のデータである表示用データを出力する表示面を備えた複数枚の電子ペーパと、前記複数枚の電子ペーパを束ねる綴じ部材と、前記複数枚の電子ペーパへの表示用データの出力を制御する出力装置とを備えた表示装置であって、
前記電子ペーパに対する表示用データの書き換えを許可するか否かを示す書換可否情報を記憶する書換可否情報記憶手段と、
前記電子ペーパに表示させる複数の表示用データを記憶する記憶手段と、
前記書換可否情報記憶手段に記憶されている書換可否情報に基づき、書換可である電子ペーパが連続して位置する箇所に前記記憶手段に記憶されている複数の表示用データを割り当てる割当手段と、
前記割当手段により割り当てられた表示用データを各電子ペーパに表示する表示制御手段とを備えたことを特徴とする表示装置。
【請求項２】
前記記憶手段は、複数の表示用データで構成されるコンテンツを複数記憶し、
前記複数のコンテンツの中からいずれかのコンテンツを選択する選択手段を備え、
前記割当手段は前記選択手段により選択されたコンテンツの表示用データを、連続した順序の電子ペーパに割り当てることを特徴とする請求項１に記載の表示装置。
【請求項３】
前記電子ペーパに表示される表示用データを記憶する一時記憶手段と、
前記割当手段により前記複数の表示用データを連続した順序の電子ペーパに割り当てる際に、前記書換可否情報が書換不可である電子ペーパを、書換可に変更する書換許可手段と、
前記表示制御手段により表示用データを各電子ペーパに表示した後、所定のタイミングで、前記書換許可手段により書換可に変更されていた前記書換可否情報を書換不可に戻すとともに、前記一時記憶手段に記憶されていた表示用データを書換可に変更されていた電子ペーパの表示面に復元させる復元手段とを備えたことを特徴とする請求項１又は２に記載の表示装置。
【請求項４】
前記復元手段は、前記書換許可手段に書換可に変更されてから所定時間経過後に動作することを特徴とする請求項３に記載の表示装置。
【請求項５】
前記一時記憶手段に記憶されている表示用データの復元を指示する復元指示手段を備え、
前記復元手段は、前記復元指示手段による指示入力があった場合に動作することを特徴とする請求項３又は４に記載の表示装置。
【請求項６】
前記書換許可手段により書換可とする回数を所定回数内に制限する回数制御手段を備えたことを特徴とする請求項３から５のいずれかに記載の表示装置。
【請求項７】
前記書換可否情報が書換可である電子ペーパが連続して位置している箇所を検索する検索手段を備え、
前記割当手段は、前記検索手段により発見された箇所に位置する連続した電子ペーパに前記表示用データを割り当てることを特徴とする請求項１に記載の表示装置。
【請求項８】
前記書換可否情報が書換不可である前記電子ペーパが表示している表示用データを他の電子ペーパに移動させ、当該他の電子ペーパに表示させる移動手段と、
前記移動手段により前記表示用データが移動された移動元の電子ペーパの前記書換可否情報を書換可とするとともに、前記表示用データの移動先の電子ペーパを書換不可とする書換可否情報変更手段と、
前記移動手段による前記表示用データの移動、及び、前記書換可否情報変更手段による書換可否情報の変更により、前記書換可否情報が書換可である電子ペーパを、連続して確保する連続確保手段とを備え、
前記割当手段は、前記連続確保手段により確保された電子ペーパに前記表示用データを割り当てることを特徴とする請求項１に記載の表示装置。
【請求項９】
前記連続確保手段は、前記綴じ部材内の先頭に前記連続した書換可である電子ペーパを確保することを特徴とする請求項８に記載の表示装置。
【請求項１０】
前記連続確保手段は、前記綴じ部材内の後端に前記連続した書換可である電子ペーパを確保することを特徴とする請求項８に記載の表示装置。
【請求項１１】
前記出力装置は、画像を出力する表示面を備えた電子ペーパ部を備えたことを特徴とする請求項１から１０のいずれかに記載の表示装置。
【請求項１２】
前記電子ペーパは、
当該電子ペーパの前記綴じ部材内における位置を示す情報である位置情報を検出する位置検出手段を備え、
前記出力装置は、
前記位置検出手段により検出された位置情報を、前記電子ペーパから取得する位置情報取得手段と、
前記位置情報取得手段により取得された前記位置情報に基づいて、当該表示装置に綴じられている各電子ペーパの綴じ順序を算出する順序算出手段とを備え、
前記割当手段は、前記順序算出手段により算出された前記順序と前記書換可否情報記憶手段に記憶されている書換可否情報とに基づき、書換可である電子ペーパが連続して位置する箇所に、前記記憶手段に記憶されている複数の表示用データを割り当てることを特徴とする請求項１から１１のいずれかに記載の表示装置。
【請求項１３】
前記出力装置は、
前記位置情報取得手段により得られた位置情報に対応する各前記電子ペーパに対して、当該電子ペーパを識別する識別情報を前記電子ペーパから取得する識別情報取得手段を備え、
前記割当手段は、前記識別情報取得手段により取得した前記識別情報に対して、前記記憶手段に記憶されている表示用データを各電子ペーパに割り当て、
前記表示制御手段は、前記識別情報取得手段により取得した前記識別情報を有する電子ペーパに前記表示用データを表示することを特徴とする請求項１２に記載の表示装置。
【請求項１４】
前記電子ペーパは、貫通孔を備え、
前記綴じ部材は、前記貫通孔を貫通する貫通部を備え、
前記電子ペーパの前記位置検出手段は、前記貫通部のいずれの位置と接触しているのかを検出することを特徴とする請求項１３に記載の表示装置。
【請求項１５】
綴じ部材により複数枚束ねられ、表示面を備えた電子ペーパに表示する画像又は文書のページ単位のデータである表示用データの出力を制御する出力装置であって、
前記電子ペーパに表示させる複数の表示用データを記憶する記憶手段と、
前記電子ペーパに対する表示用データの書き換えを許可するか否かを示す書換可否情報を記憶する書換可否情報記憶手段と、
前記電子ペーパに表示させる複数の表示用データを記憶する記憶手段と、
前記書換可否情報記憶手段に記憶されている書換可否情報に基づき、書換可である電子ペーパが連続して位置する箇所に前記記憶手段に記憶されている複数の表示用データを割り当てる割当手段と、
前記割当手段により割り当てられた表示用データを各電子ペーパに表示する表示制御手段とを備えたことを特徴とする出力装置。
【請求項１６】
前記記憶手段は、複数の表示用データで構成されるコンテンツを複数記憶し、
前記複数のコンテンツの中からいずれかのコンテンツを選択する選択手段を備え、
前記割当手段は前記選択手段により選択されたコンテンツの表示用データを、連続した順序の電子ペーパに割り当てることを特徴とする請求項１５記載の出力装置。
【請求項１７】
前記割当手段により前記複数の表示用データを連続した順序の電子ペーパに割り当てる際に、前記書換可否情報が書換不可である電子ペーパを、書換可に変更する書換許可手段と、
前記表示制御手段により表示用データを各電子ペーパに表示した後、所定のタイミングで、前記書換許可手段により書換可に変更されていた前記書換可否情報を書換不可に戻すとともに、前記書換可に変更されていた電子ペーパに設けられた一時記憶手段に記憶されていた表示用データを当該書換可に変更されていた電子ペーパの表示面に復元させる復元手段とを備えたことを特徴とする請求項１５又は１６に記載の出力装置。
【請求項１８】
前記復元手段は、前記書換許可手段に書換可に変更されてから所定時間経過後に動作することを特徴とする請求項１７に記載の出力装置。
【請求項１９】
前記一時記憶手段に記憶されている表示用データの復元を指示する復元指示手段を備え、
前記復元手段は、前記復元指示手段による指示入力があった場合に動作することを特徴とする請求項１７又は１８に記載の出力装置。
【請求項２０】
前記書換許可手段により書換可とする回数を所定回数内に制限する回数制御手段を備えたことを特徴とする請求項１７から１９のいずれかに記載の出力装置。
【請求項２１】
前記書換可否情報が書換可である電子ペーパが連続して位置している箇所を検索する検索手段を備え、
前記割当手段は、前記検索手段により発見された箇所に位置する連続した電子ペーパに前記表示用データを割り当てることを特徴とする請求項１５に記載の出力装置。
【請求項２２】
前記書換可否情報が書換不可である前記電子ペーパが表示している表示用データを他の電子ペーパに移動させ、当該他の電子ペーパに表示させる移動手段と、
前記移動手段により前記表示用データが移動された移動元の電子ペーパの前記書換可否情報を書換可とするとともに、前記表示用データの移動先の電子ペーパを書換不可とする書換可否情報変更手段と、
前記移動手段による前記表示用データの移動、及び、前記書換可否情報変更手段による書換可否情報の変更により、前記書換可否情報が書換可である電子ペーパを、連続して確保する連続確保手段とを備え、
前記割当手段は、前記連続確保手段により確保された電子ペーパに前記表示用データを割り当てることを特徴とする請求項１５に記載の出力装置。
【請求項２３】
前記連続確保手段は、前記綴じ部材内の先頭に前記連続した書換可である電子ペーパを確保することを特徴とする請求項２２に記載の出力装置。
【請求項２４】
前記連続確保手段は、前記綴じ部材内の後端に前記連続した書換可である電子ペーパを確保することを特徴とする請求項２２に記載の出力装置。
【請求項２５】
画像を出力する表示面を備えた電子ペーパ部を備えたことを特徴とする請求項１５から２４のいずれかに記載の出力装置。
【請求項２６】
前記位置検出手段により検出された位置情報を、前記電子ペーパから取得する位置情報取得手段と、
前記位置情報取得手段により取得された前記位置情報に基づいて、当該表示装置に綴じられている各電子ペーパの綴じ順序を算出する順序算出手段と、
前記割当手段は、前記順序算出手段により算出された前記順序と前記書換可否情報記憶手段に記憶されている書換可否情報とに基づき、書換可である電子ペーパが連続して位置する箇所に、前記記憶手段に記憶されている複数の表示用データを割り当てることを特徴とする請求項１５から２５のいずれかに記載の出力装置。
【請求項２７】
前記位置情報取得手段により得られた位置情報に対応する各前記電子ペーパに対して、当該電子ペーパを識別する識別情報を前記電子ペーパから取得する識別情報取得手段を備え、
前記割当手段は、前記識別情報取得手段により取得した前記識別情報に対して、前記記憶手段に記憶されている表示用データを各電子ペーパに割り当て、
前記表示制御手段は、前記識別情報取得手段により取得した前記識別情報を有する電子ペーパに前記表示用データを表示することを特徴とする請求項２６に記載の出力装置。
【発明の詳細な説明】
【技術分野】
【０００１】
本発明は、複数枚の電子ペーパを束ねて保持し、これらの電子ペーパに出力装置から表示用データを出力して文書や画像の表示用データからなるコンテンツを閲覧可能とする表示装置及び出力装置に関するものである。
【背景技術】
【０００２】
近年、電子化された文書や画像の表示用データからなるコンテンツを閲覧するために、紙媒体に替わるものとして、柔軟で薄型の表示媒体である電子ペーパが開発されている。電子ペーパは、何度も上書きしたり消去したりして表示されているコンテンツを更新することができるが、大量のデータからなるコンテンツを閲覧したいときには、書籍やノートのように複数枚を束ねて使うことが便利であると考えられる。そこで、紙と同様に複数の電子ペーパを束ねてバインダタイプにして使用することも提案されている。
【０００３】
電子ペーパは、上述のように、上書き（書き換え）が自在にできるが、コンテンツによっては書き換えせず表示させたまま保持していたい場合もある。ところが、バインダタイプの電子ペーパでは、どの電子ペーパが上書き可でどの電子ペーパが上書き不可なのかが明確でなく、保存しておきたかった画像が上書きで消されるおそれがあった。
【０００４】
そこで、例えば特許文献１では、ある電子ペーパが上書き禁止かどうかの情報をその電子ペーパの属性情報として記憶し、上書き禁止情報が書き込まれている電子ペーパについては書き換えを行わないようにすることが提案されている。さらに、特許文献１では、閲覧者が指示した場合には、画像データの上に属性データを重ねて表示させることも提案されている。
【特許文献１】特開２００４−２５１９７２号公報
【発明の開示】
【発明が解決しようとする課題】
【０００５】
しかしながら、バインダタイプの場合には、書き換え可の電子ペーパの間に書き換え不可の電子ペーパが入っていることが考えられる。このような場合に複数ページのコンテンツを表示しようとすると、連続ページの間に書き換え不可の電子ペーパが入ってしまい、読みにくくなってしまうことがある。このような場合にどう対処するかについては、上記従来の技術では開示されていなかった。
【０００６】
本発明は上記問題を解決するためになされたものであり、書き換え不可の電子ペーパが複数ページの途中にある場合にも適切に表示を行うことができる表示装置及び出力装置を提供することを目的とする。
【課題を解決するための手段】
【０００７】
上記目的を達成するために、本発明の請求項１に記載の表示装置は、画像又が文書のページ単位のデータである表示用データを出力する表示面を備えた複数枚の電子ペーパと、前記複数枚の電子ペーパを束ねる綴じ部材と、前記複数枚の電子ペーパへの表示用データの出力を制御する出力装置とを備えた表示装置であって、前記電子ペーパに対する表示用データの書き換えを許可するか否かを示す書換可否情報を記憶する書換可否情報記憶手段と、前記電子ペーパに表示させる複数の表示用データを記憶する記憶手段と、前記書換可否情報記憶手段に記憶されている書換可否情報に基づき、書換可である電子ペーパが連続して位置する箇所に前記記憶手段に記憶されている複数の表示用データを割り当てる割当手段と、前記割当手段により割り当てられた表示用データを各電子ペーパに表示する表示制御手段とを備えたことを特徴とする。
【０００８】
また、本発明の請求項２に記載の表示装置は、請求項１に記載の発明の構成に加え、前記記憶手段が、複数の表示用データで構成されるコンテンツを複数記憶し、前記複数のコンテンツの中からいずれかのコンテンツを選択する選択手段を備え、前記割当手段は前記選択手段により選択されたコンテンツの表示用データを、連続した順序の電子ペーパに割り当てることを特徴とする。
【０００９】
また、本発明の請求項３に記載の表示装置は、請求項１又は２に記載の発明の構成に加え、前記電子ペーパに表示される表示用データを記憶する一時記憶手段と、前記割当手段により前記複数の表示用データを連続した順序の電子ペーパに割り当てる際に、前記書換可否情報が書換不可である電子ペーパを、書換可に変更する書換許可手段と、前記表示制御手段により表示用データを各電子ペーパに表示した後、所定のタイミングで、前記書換許可手段により書換可に変更されていた前記書換可否情報を書換不可に戻すとともに、前記一時記憶手段に記憶されていた表示用データを書換可に変更されていた電子ペーパの表示面に復元させる復元手段とを備えたことを特徴とする。
【００１０】
また、本発明の請求項４に記載の表示装置は、請求項３に記載の発明の構成に加え、前記復元手段が、前記書換許可手段に書換可に変更されてから所定時間経過後に動作することを特徴とする。
【００１１】
また、本発明の請求項５に記載の表示装置は、請求項３又は４に記載の発明の構成に加え、前記一時記憶手段に記憶されている表示用データの復元を指示する復元指示手段を備え、前記復元手段は、前記復元指示手段による指示入力があった場合に動作することを特徴とする。
【００１２】
また、本発明の請求項６に記載の表示装置は、請求項３から５のいずれかに記載の発明の構成に加え、前記書換許可手段により書換可とする回数を所定回数内に制限する回数制御手段を備えたことを特徴とする。
【００１３】
また、本発明の請求項７に記載の表示装置は、請求項１に記載の発明の構成に加え、前記書換可否情報が書換可である電子ペーパが連続して位置している箇所を検索する検索手段を備え、前記割当手段は、前記検索手段により発見された箇所に位置する連続した電子ペーパに前記表示用データを割り当てることを特徴とする。
【００１４】
また、本発明の請求項８に記載の表示装置は、請求項１に記載の発明の構成に加え、前記書換可否情報が書換不可である前記電子ペーパが表示している表示用データを他の電子ペーパに移動させ、当該他の電子ペーパに表示させる移動手段と、前記移動手段により前記表示用データが移動された移動元の電子ペーパの前記書換可否情報を書換可とするとともに、前記表示用データの移動先の電子ペーパを書換不可とする書換可否情報変更手段と、前記移動手段による前記表示用データの移動、及び、前記書換可否情報変更手段による書換可否情報の変更により、前記書換可否情報が書換可である電子ペーパを、連続して確保する連続確保手段とを備え、前記割当手段は、前記連続確保手段により確保された電子ペーパに前記表示用データを割り当てることを特徴とする。
【００１５】
また、本発明の請求項９に記載の表示装置は、請求項８に記載の発明の構成に加え、前記連続確保手段が、前記綴じ部材内の先頭に前記連続した書換可である電子ペーパを確保することを特徴とする。
【００１６】
また、本発明の請求項１０に記載の表示装置は、請求項８に記載の発明の構成に加え、前記連続確保手段が、前記綴じ部材内の後端に前記連続した書換可である電子ペーパを確保することを特徴とする。
【００１７】
また、本発明の請求項１１に記載の表示装置は、請求項１から１０のいずれかに記載の発明の構成に加え、前記出力装置が、画像を出力する表示面を備えた電子ペーパ部を備えたことを特徴とする。
【００１８】
また、本発明の請求項１２に記載の表示装置は、請求項１から１１のいずれかに記載の発明の構成に加え、前記電子ペーパが、当該電子ペーパの前記綴じ部材内における位置を示す情報である位置情報を検出する位置検出手段を備え、前記出力装置は、前記位置検出手段により検出された位置情報を、前記電子ペーパから取得する位置情報取得手段と、前記位置情報取得手段により取得された前記位置情報に基づいて、当該表示装置に綴じられている各電子ペーパの綴じ順序を算出する順序算出手段とを備え、前記割当手段は、前記順序算出手段により算出された前記順序と前記書換可否情報記憶手段に記憶されている書換可否情報とに基づき、書換可である電子ペーパが連続して位置する箇所に、前記記憶手段に記憶されている複数の表示用データを割り当てることを特徴とする。
【００１９】
また、本発明の請求項１３に記載の表示装置は、請求項１２に記載の発明の構成に加え、前記出力装置が、前記位置情報取得手段により得られた位置情報に対応する各前記電子ペーパに対して、当該電子ペーパを識別する識別情報を前記電子ペーパから取得する識別情報取得手段を備え、前記割当手段は、前記識別情報取得手段により取得した前記識別情報に対して、前記記憶手段に記憶されている表示用データを各電子ペーパに割り当て、前記表示制御手段は、前記識別情報取得手段により取得した前記識別情報を有する電子ペーパに前記表示用データを表示することを特徴とする。
【００２０】
また、本発明の請求項１４に記載の表示装置は、請求項１３に記載の発明の構成に加え、前記電子ペーパが、貫通孔を備え、前記綴じ部材は、前記貫通孔を貫通する貫通部を備え、前記電子ペーパの前記位置検出手段は、前記貫通部のいずれの位置と接触しているのかを検出することを特徴とする。
【００２１】
また、本発明の請求項１５に記載の出力装置は、綴じ部材により複数枚束ねられ、表示面を備えた電子ペーパに表示する画像又が文書のページ単位のデータである表示用データの出力を制御する出力装置であって、前記電子ペーパに表示させる複数の表示用データを記憶する記憶手段と、前記電子ペーパに対する表示用データの書き換えを許可するか否かを示す書換可否情報を記憶する書換可否情報記憶手段と、前記電子ペーパに表示させる複数の表示用データを記憶する記憶手段と、前記書換可否情報記憶手段に記憶されている書換可否情報に基づき、書換可である電子ペーパが連続して位置する箇所に前記記憶手段に記憶されている複数の表示用データを割り当てる割当手段と、前記割当手段により割り当てられた表示用データを各電子ペーパに表示する表示制御手段とを備えたことを特徴とする。
【００２２】
また、本発明の請求項１６に記載の出力装置は、請求項１５に記載の発明の構成に加え、前記記憶手段が、複数の表示用データで構成されるコンテンツを複数記憶し、前記複数のコンテンツの中からいずれかのコンテンツを選択する選択手段を備え、前記割当手段は前記選択手段により選択されたコンテンツの表示用データを、連続した順序の電子ペーパに割り当てることを特徴とする。
【００２３】
また、本発明の請求項１７に記載の出力装置は、請求項１５又は１６に記載の発明の構成に加え、前記割当手段により前記複数の表示用データを連続した順序の電子ペーパに割り当てる際に、前記書換可否情報が書換不可である電子ペーパを、書換可に変更する書換許可手段と、前記表示制御手段により表示用データを各電子ペーパに表示した後、所定のタイミングで、前記書換許可手段により書換可に変更されていた前記書換可否情報を書換不可に戻すとともに、前記書換可に変更されていた電子ペーパに設けられた一時記憶手段に記憶されていた表示用データを当該書換可に変更されていた電子ペーパの表示面に復元させる復元手段とを備えたことを特徴とする。
【００２４】
また、本発明の請求項１８に記載の出力装置は、請求項１７に記載の発明の構成に加え、前記復元手段が、前記書換許可手段に書換可に変更されてから所定時間経過後に動作することを特徴とする。
【００２５】
また、本発明の請求項１９に記載の出力装置は、請求項１７又は１８に記載の発明の構成に加え、前記一時記憶手段に記憶されている表示用データの復元を指示する復元指示手段を備え、前記復元手段は、前記復元指示手段による指示入力があった場合に動作することを特徴とする。
【００２６】
また、本発明の請求項２０に記載の出力装置は、請求項１７から１９のいずれかに記載の発明の構成に加え、前記書換許可手段により書換可とする回数を所定回数内に制限する回数制御手段を備えたことを特徴とする。
【００２７】
また、本発明の請求項２１に記載の出力装置は、請求項１５に記載の発明の構成に加え、前記書換可否情報が書換可である電子ペーパが連続して位置している箇所を検索する検索手段を備え、前記割当手段は、前記検索手段により発見された箇所に位置する連続した電子ペーパに前記表示用データを割り当てることを特徴とする。
【００２８】
また、本発明の請求項２２に記載の出力装置は、請求項１５に記載の発明の構成に加え、前記書換可否情報が書換不可である前記電子ペーパが表示している表示用データを他の電子ペーパに移動させ、当該他の電子ペーパに表示させる移動手段と、前記移動手段により前記表示用データが移動された移動元の電子ペーパの前記書換可否情報を書換可とするとともに、前記表示用データの移動先の電子ペーパを書換不可とする書換可否情報変更手段と、前記移動手段による前記表示用データの移動、及び、前記書換可否情報変更手段による書換可否情報の変更により、前記書換可否情報が書換可である電子ペーパを、連続して確保する連続確保手段とを備え、前記割当手段は、前記連続確保手段により確保された電子ペーパに前記表示用データを割り当てることを特徴とする。
【００２９】
また、本発明の請求項２３に記載の出力装置は、請求項２２に記載の発明の構成に加え、前記連続確保手段が、前記綴じ部材内の先頭に前記連続した書換可である電子ペーパを確保することを特徴とする。
【００３０】
また、本発明の請求項２４に記載の出力装置は、請求項２２に記載の発明の構成に加え、前記連続確保手段が、前記綴じ部材内の後端に前記連続した書換可である電子ペーパを確保することを特徴とする。
【００３１】
また、本発明の請求項２５に記載の出力装置は、請求項１５から２４のいずれかに記載の発明の構成に加え、画像を出力する表示面を備えた電子ペーパ部を備えたことを特徴とする。
【００３２】
また、本発明の請求項２６に記載の出力装置は、請求項１５から２５のいずれかに記載の発明の構成に加え、前記位置検出手段により検出された位置情報を、前記電子ペーパから取得する位置情報取得手段と、前記位置情報取得手段により取得された前記位置情報に基づいて、当該表示装置に綴じられている各電子ペーパの綴じ順序を算出する順序算出手段と、前記割当手段は、前記順序算出手段により算出された前記順序と前記書換可否情報記憶手段に記憶されている書換可否情報とに基づき、書換可である電子ペーパが連続して位置する箇所に、前記記憶手段に記憶されている複数の表示用データを割り当てることを特徴とする。
【００３３】
また、本発明の請求項２７に記載の出力装置は、請求項２６に記載の発明の構成に加え、前記位置情報取得手段により得られた位置情報に対応する各前記電子ペーパに対して、当該電子ペーパを識別する識別情報を前記電子ペーパから取得する識別情報取得手段を備え、前記割当手段は、前記識別情報取得手段により取得した前記識別情報に対して、前記記憶手段に記憶されている表示用データを各電子ペーパに割り当て、前記表示制御手段は、前記識別情報取得手段により取得した前記識別情報を有する電子ペーパに前記表示用データを表示することを特徴とする。
【発明の効果】
【００３４】
本発明の請求項１に記載の表示装置は、複数枚の電子ペーパが綴じ部材により束ねられており、各電子ペーパに表示する表示用データの書換可否情報が設定されている。そして、書換可否情報に基づいて表示用データを連続した電子ペーパに割り当てるようにしたので、１つのコンテンツの表示ページの間に書換不可のページが挟まれてしまうことがなく、スムーズに閲覧することができる。
【００３５】
また、本発明の請求項２に記載の表示装置は、請求項１に記載の発明の効果に加え、選択手段により新たなコンテンツを表示させるように選択されたときには、その表示用データを連続した電子ペーパに割り当てるようにしたので、新しいコンテンツの表示ページの間に書換不可のページが挟まれてしまうことがなく、選択コンテンツをスムーズに閲覧することができる。
【００３６】
また、本発明の請求項３に記載の表示装置は、請求項１又は２に記載の発明の効果に加え、表示用データを一時記憶手段に記憶させておき、新たなコンテンツを表示する際に書換不可の電子ペーパがある場合には、その電子ペーパを書換可に変更して新たなコンテンツを表示させるようにし、後に表示内容を一時記憶手段から復元させて書換不可に戻すようにしたので、選択コンテンツをスムーズに閲覧することができるとともに、書換不可としておいた表示内容も後から参照することができる。
【００３７】
また、本発明の請求項４に記載の表示装置は、請求項３に記載の発明の効果に加え、書き換えられていたページの内容が所定時間経過後に復元されるので、例えば閲覧が終了した頃に書換不可としておいた表示内容が復元されて参照することができる。
【００３８】
また、本発明の請求項５に記載の表示装置は、請求項３又は４に記載の発明の効果に加え、指示入力手段からの復元指示があった場合に書き換えられていたページの内容が復元されるので、選択コンテンツをスムーズに閲覧することができるとともに、使用者が望むときに書換不可に設定していた従前の表示内容を閲覧することができる。
【００３９】
また、本発明の請求項６に記載の表示装置は、請求項３から５のいずれかに記載の発明の効果に加え、書換可に変更する回数を所定回数内に制限するようにしたので、例えば、書換可に変更中に新たなコンテンツが選択されたときには重ねて書換を行わないようにして、書換不可に設定された表示内容が常時書換可に変更されてしまって参照できないことがないようにできる。
【００４０】
また、本発明の請求項７に記載の表示装置は、請求項１に記載の発明の効果に加え、書換可である電子ペーパが連続して位置している箇所を検索し、その箇所に新たに選択されたコンテンツを表示するので、書換不可として常時参照したい表示内容を保持するとともに、選択コンテンツをスムーズに閲覧することができる。
【００４１】
また、本発明の請求項８に記載の表示装置は、請求項１に記載の発明の効果に加え、書換不可とされている表示内容を移動させて移動元の電子ペーパを書換可に設定するので、その移動により書換可の電子ペーパを連続して確保でき、選択コンテンツを表示させてスムーズに閲覧することができる。
【００４２】
また、本発明の請求項９に記載の表示装置は、請求項８に記載の発明の効果に加え、先頭側に書換可の電子ペーパを連続して確保するので、選択コンテンツをすぐに閲覧できる。
【００４３】
また、本発明の請求項１０に記載の表示装置は、請求項８に記載の発明の効果に加え、後端側に書換可の電子ペーパを連続して確保するので、書換不可にした電子ペーパの表示内容をすぐに参照できる。
【００４４】
また、本発明の請求項１１に記載の表示装置は、請求項１から１０のいずれかに記載の発明の効果に加え、出力装置も電子ペーパ部を備えるので、その電子ペーパ部にも表示用データを表示させることができ、電子ペーパでない制御部を有する場合に比べて多くのデータが表示できる。
【００４５】
また、本発明の請求項１２に記載の表示装置は、請求項１から１１のいずれかに記載の発明の効果に加え、位置情報取得手段により取得された位置情報に基づいてる各電子ペーパの綴じ順序を算出し、その算出された順序と書換可否情報とに従って表示用データを割り当てるので、表示装置の任意の位置に新たな電子ペーパが追加されたり、任意の電子ペーパを取り外したり、電子ペーパ間の位置を入れ替えたりしても、位置情報に基づいて表示用データの割り当てがなされる。従って、ユーザがなんら意識することなく連続した複数ページの表示がなされるので、スムーズに閲覧することができる。
【００４６】
また、本発明の請求項１３に記載の表示装置は、請求項１２に記載の発明の効果に加え、取得した位置情報により、各電子ペーパの識別情報を取得し、その識別情報に対応させて表示用データの割り当てを行うので、位置情報のみを用いる場合よりも効率よく各電子ペーパの特定をすることができる。
【００４７】
また、本発明の請求項１４に記載の表示装置は、請求項１３に記載の発明の効果に加え、貫通孔に貫通部を通すだけで電子ペーパを綴じることができ、挿入や取り外し、入れ替えが簡便にできる。
【００４８】
また、本発明の請求項１５に記載の出力装置は、綴じ部材により束ねられた複数枚の電子ペーパに表示用データを出力するが、各電子ペーパには表示する画像の書換可否情報が設定されている。そして、書換可否情報に基づい表示用データを連続した電子ペーパに割り当てるようにしたので、１つのコンテンツの表示ページの間に書換不可のページが挟まれてしまうことがなく、選択コンテンツをスムーズに閲覧することができる。
【００４９】
また、本発明の請求項１６に記載の出力装置は、請求項１５に記載の発明の効果に加え、選択手段により新たなコンテンツを表示させるように選択されたときには、その表示用データを連続した電子ペーパに割り当てるようにしたので、新しいコンテンツの表示ページの間に書換不可のページが挟まれてしまうことがなく、選択コンテンツをスムーズに閲覧することができる。
【００５０】
また、本発明の請求項１７に記載の出力装置は、請求項１５又は１６に記載の発明の効果に加え、表示用データを電子ペーパ内の一時記憶手段に記憶させておき、新たなコンテンツを表示する際に書換不可の電子ペーパがある場合には、その電子ペーパを一時的に書換可に変更して新たなコンテンツを表示させるようにし、後に表示内容を一時記憶手段から復元させて書換不可に戻すようにしたので、選択コンテンツをスムーズに閲覧することができるとともに、書換不可としておいた表示内容も後から参照することができる。
【００５１】
また、本発明の請求項１８に記載の出力装置は、請求項１７に記載の発明の効果に加え、書き換えられていたページの内容が所定時間経過後に復元されるので、例えば閲覧が終了した頃に書換不可としておいた表示内容が復元されて参照することができる。
【００５２】
また、本発明の請求項１９に記載の出力装置は、請求項１７又は１８に記載の発明の効果に加え、指示入力手段からの復元指示があった場合に書き換えられていたページの内容が復元されるので、選択コンテンツをスムーズに閲覧することができるとともに、使用者が望むときに書換不可に設定していた従前の表示内容を閲覧することができる。
【００５３】
また、本発明の請求項２０に記載の出力装置は、請求項１７から１９のいずれかに記載の発明の効果に加え、書換可に変更する回数を所定回数内に制限するようにしたので、例えば、書換に変更中に新たなコンテンツが選択されたときには重ねて書換を行わないようにして、書換不可に設定された表示内容が常時書換に変更されてしまって参照できないことがないようにできる。
【００５４】
また、本発明の請求項２１に記載の出力装置は、請求項１５に記載の発明の効果に加え、書換可である電子ペーパが連続して位置している箇所を検索し、その箇所に新たに選択されたコンテンツを表示するので、書換不可として常時参照したい表示内容を保持するとともに、選択コンテンツをスムーズに閲覧することができる。
【００５５】
また、本発明の請求項２２に記載の出力装置は、請求項１５に記載の発明の効果に加え、書換不可とされている表示内容を移動させて移動元の電子ペーパを書換可に設定するので、その移動により書換可の電子ペーパを連続して確保でき、選択コンテンツを表示させてスムーズに閲覧することができる。
【００５６】
また、本発明の請求項２３に記載の出力装置は、請求項２２に記載の発明の効果に加え、先頭側に書換可の電子ペーパを連続して確保するので、選択コンテンツをすぐに閲覧できる。
【００５７】
また、本発明の請求項２４に記載の出力装置は、請求項２２に記載の発明の効果に加え、後端側に書換可の電子ペーパを連続して確保するので、書換不可にした電子ペーパの表示内容をすぐに参照できる。
【００５８】
また、本発明の請求項２５に記載の出力装置は、請求項１５から２４のいずれかに記載の発明の効果に加え、電子ペーパ部を備えるので、その電子ペーパ部にも表示用データを表示させることができ、電子ペーパでない制御部を有する場合に比べて多くのデータが表示できる。
【００５９】
また、本発明の請求項２６に記載の出力装置は、請求項１５から２５のいずれかに記載の発明の効果に加え位置情報取得手段により取得された位置情報に基づいてる各電子ペーパの綴じ順序を算出し、その算出された順序と書換可否情報とに従って表示用データを割り当てるので、表示装置の任意の位置に新たな電子ペーパが追加されたり、任意の電子ペーパを取り外したり、電子ペーパ間の位置を入れ替えたりしても、位置情報に基づいて表示用データの割り当てがなされる。従って、ユーザがなんら意識することなく連続した複数ページの表示がなされるので、スムーズに閲覧することができる。
【００６０】
また、本発明の請求項２７に記載の出力装置は、請求項２６に記載の発明の効果に加え、取得した位置情報により、各電子ペーパの識別情報を取得し、その識別情報に対応させて表示用データの割り当てを行うので、位置情報のみを用いる場合よりも効率よく各電子ペーパの特定をすることができる。
【発明を実施するための最良の形態】
【００６１】
以下、本発明の実施の形態である表示装置１について図面を参照して説明する。表示装置１は、複数の電子ペーパを備えたバインダタイプである。まず、図１〜図６、図２７〜２９を参照して、表示装置１の構成について説明する。図１は、表示装置１の外観を模式的に示した外観図である。図２は、表示装置１の位置検出手段である位置検出リング２４の説明図である。図３は、表示装置１の構成を示すブロック図である。図４は、マスタペーパ３のＲＡＭ３３のデータ構造を示す構成図である。図５は、マスタペーパ３のＥＥＰＲＯＭ３４のデータ構造を示す構成図である。図６は、接続ペーパ管理テーブル記憶領域３３２に記憶された接続ペーパ管理テーブルのデータ構造を示す構成図である。図７は、スレーブペーパ４のＲＡＭ４３のデータ構造を示す構成図である。図８は、スレーブペーパ４のＥＥＰＲＯＭ４４のデータ構造を示す構成図である。図２７は、電源供給用リング２１の断面を示す模式図であり、図２８は、位置検出用リング２４の断面を示す模式図である。図２９は、電源供給用貫通孔６１に電源供給用リング２１が貫通されている状態を示す模式図である。
【００６２】
図１に示すように、表示装置１は、表示部３６（図３参照）を備えた電子ペーパである略長方形のマスタペーパ３と、マスタペーパ３と同様の形状で表示部４６を備えたスレーブペーパ４を備えている。そして、マスタペーパ３及び各スレーブペーパ４は、４つの貫通孔６１〜６４を備え、それぞれの貫通孔を貫通する４つのリング２１〜２４からなる綴じ部材２により束ねて綴じられている。本実施形態では、スレーブペーパ４が４枚の場合を例にして説明する。以下、マスタペーパ３及びスレーブペーパ４を総称して電子ペーパ５と呼ぶ。尚、マスタペーパ３は出力装置として機能しており、マスタペーパ３及びスレーブペーパ４の表示部３６，４６に表示させる画像の制御を行う。
【００６３】
次に、図１、図２７〜図２９を参照して、電子ペーパ５の綴じ部材２について説明する。電子ペーパ５には、図１に示すように、電源供給用貫通孔６１，接地用貫通孔６２，通信用貫通孔６３，位置検出用貫通孔６４の４つの貫通孔が設けられている。以下、これらの貫通孔を総称して貫通孔６という。そして、綴じ部材２は、電源供給用リング２１，接地用リング２２，通信用リング２３，位置検出用リング２４の４つのリングで構成されている。電源供給用貫通孔６１には電源供給用リング２１を挿入し、接地用貫通孔６２には接地用リング２２を挿入し、通信用貫通孔６３には通信用リング２３を挿入し、位置検出用貫通孔６４には位置検出用リング２４を挿入して、電子ペーパ５が綴じられる。また、各リング２１〜２４はマスターペーパ３に固定されている。そして、スレーブペーパ４の各貫通孔６の周囲には導電性のブラシが貫通孔の中心に向かって設置されており、ブラシと各リングが確実に接触するようになっている。すなわち、電源供給用リング２１を例に説明すると、図２９に示すように、電源供給用貫通孔６１内の長手方向の側面にはそれぞれブラシ１１０、１１１が設けられており、電源供給用貫通孔６１内を貫通した電源供給用リング２１に接触している。
【００６４】
電源供給用リング２１は、マスタペーパ３に備えられているバッテリー５４（図３参照）に接続され、スレーブペーパ４へ電源を供給する。また、接地用リング２２は、マスタペーパ３に備えられている０Ｖのアース５５（図３参照）に接続され、スレーブペーパ４からの接地に利用される。通信用リング２３は、マスタペーパ３に備えられている内部通信部３５（図３参照）及びスレーブペーパ４に備えられている内部通信部４５（図３参照）を接続し、電子ペーパ５間で情報のやり取りを行うのに使用される。位置検出用リング２４は、電子ペーパ５がどのような順で綴じ部材２に綴じられているかを検出するのに利用される。
【００６５】
ここで、図２７及び図２９を参照して、電源供給用リング２１について説明する。図２７に示すように、電源供給用リング２１は、その端部１１９１，１１９２で切断された開閉式の環であり、可撓性を有している。そして、ユーザは、端部１１９１，１１９２を離す、すなわち、開閉部１１９を開くことにより、リングを撓ませ、開閉部１１９から電子ペーパ５を着脱させることができる。ここでは、図２７に示すように、電源供給用リング２１の開閉部１１９の図２７における右側の端部を端部１１９１、左側の端部を端部１１９２とする。
【００６６】
電源供給用リング２１の内部は絶縁体１１３であり、その絶縁体１１３は表面が導体１１４で覆われている。そして、図２７に示すように、電源供給用リング２１には凸部１１２が設けられており、この凸部１１２は導体１１４で覆われていない。さらに、端部１１９１，１１９２も、導体１１４で覆われておらず、開閉部１１９が閉じられている状態において、導体同士が接触することはない。そして、絶縁体１１３の内部には１本の導線１１６が埋め込まれている。この導線１１６の一端は凸部１１２から外部接続可能となっており、他の一端は導体１１４の端部１１９１側の端に設けられた接続点１１６２で導体１１４に接続されている。
【００６７】
尚、マスタペーパ３の電源供給用貫通孔６１内のマスタペーパ３の端側には、１つの凹部が設けられている。そして、その凹部には、バッテリー５４（図３参照）に接続された導線の一端が接続されている。マスタペーパ３の凹部に電源供給用リング２１の凸部１１２が嵌合され、マスタペーパ３に電源供給用リング２１が固定される。そして、導線１１６にはバッテリー５４から５Ｖの電圧が印加され、導線１１６の接続点１１６２から導体１１４に電流が流れる。
【００６８】
また、図２９に示すように、スレーブペーパ４の電源供給用貫通孔６１の内側には、導電性のブラシ１１０，１１１が設けられており、導体１１４と接触している。そして、このブラシ１１０，１１１から取得された電源が電源回路（図示外）に接続し、スレーブペーパ４を駆動させるための電源とされる。
【００６９】
次に、図２及び図２８を参照して、位置検出用リング２４及び位置検出用リング２４による電子ペーパ５の綴じ順序の検出方法について説明する。図２８に示すように、位置検出用リング２４は、その端部１４９１，１４９２で切断された開閉式の環であり、可撓性を有している。そして、ユーザは、端部１４９１，１４９２を離す、すなわち、開閉部１４９を開くことにより、リングを撓ませ、開閉部１４９から電子ペーパ５を着脱させることができる。ここでは、図２８に示す、位置検出用リング２４の開閉部１４９の図２９における紙面右側の端部を端部１４９１、左側の端部を端部１４９２とする。
【００７０】
位置検出用リング２４の内部は絶縁体１４３であり、その絶縁体１４３は表面がカーボン等の電気抵抗体１４４で覆われている。そして、図２９に示すように、位置検出用リング２４には凸部１４１，１４２が設けられており、この凸部１４１，１４２は電気抵抗体１４４で覆われていない。さらに、端部１４９１，１４９２も、電気抵抗体１４４で覆われておらず、開閉部１４９が綴じられている状態において、電気抵抗体同士が接触することはない。
【００７１】
さらに、開閉部１４９の端部１４９１には、位置検出用リング２４の開閉を検出するスイッチ１４８が設けられている。このスイッチ１４８は、感圧センサであり、位置検出用リング２４が綴じられているとＯＮとなり、開放されているとＯＦＦの状態となる。そして、このスイッチ１４８は、位置検出用リング２４の絶縁体１４３の内部に埋め込まれた導線１４８１の一端に接続され、導線１４８１の他端は凸部１４２から外部に接続可能となっている。
【００７２】
尚、マスタペーパ３の位置検出用貫通孔６４の内部には、２つの凹部が設けられており、マスタぺーパ３が位置検出用リング２４に固定される。この凹部は、マスタペーパ３の短手方向に平行に向かい合う位置に設けられている。そして、マスタペーパ３の内側の凹部には、バッテリー５４（図３参照）に接続された導線の一端及び開閉検出部３９（図３参照）に接続された導線の一端が接続されており、外側の凹部には、アース５５（図３参照）に接続された導線の一端が接続されている。
【００７３】
そして、位置検出用リング２４の凸部１４１，１４２にマスタペーパ３の凹部が嵌合され、位置検出用リング２４はマスタペーパ３に固定されている。したがって、導線１４６にはバッテリー５４から５Ｖの電圧が印加され、導線１４６の接続点１４６２から電気抵抗体１４４に電流が流れ、導線１４７の接続点１４７２から導線１４７へ、そしてアース５５へ電流が流れる。ここで、端部１４９１，１４９２は電気抵抗体１４４で覆われていないので、開閉部１４９が綴じられている状態で端部１４９１，１４９２がショートすることがない。バッテリー５４から供給された電力は、電気抵抗体１４４を流れる間に、電気抵抗体１４４の抵抗により電圧は下がり、位置検出用リング２４の端部１４９１から端部１４９２へ向かって、電圧が下がっていく。
【００７４】
また、スレーブペーパ４には、電圧計である電圧計測部４８（図３参照）が設けられている。そして、位置検出用貫通孔１４に設けられたブラシが電圧計測部４８の端子として機能し、位置検出用貫通孔６４に挿入されている位置検出用リング２４に流れている電流の電圧を計測する。そして、電圧計測部４８で計測された電圧値は、位置検出部４７において、０〜２５５の値にＡ／Ｄ変換される。位置検出用リング２４では、位置検出用リング２４の端部１４９１から端部１４９２へ向かって電圧が下がるので、スレーブペーパ４の位置検出用リング２４内での配置位置により、電圧計測部４８で計測される電圧は異なった値となる。そこで、位置検出用リング２４の中でそのスレーブペーパ４が０〜２５５のどの位置にあるかを検出し、電子ペーパ５の綴じ順序を検出することができる。尚、以下、Ａ／Ｄ変換した値をＡ／Ｄ変換値と呼ぶこととする。後述するペーパ順序管理テーブル（図１１参照）においては、このＡ／Ｄ変換値が位置検出用リング２４内での電子ペーパ５の位置を示す「環内位置」の値として使用される。
【００７５】
図２に示すように、本実施の形態では、端部１４９１にスレーブペーパ４が存在する場合には、スレーブペーパ４の電圧計測部４８において計測された電圧値が位置検出部４７においてＡ／Ｄ変換値「２５５」と検出され、図２における端部１４９１の右隣にスレーブペーパ４が存在する場合には、Ａ／Ｄ変換値は「２５４」と検出される。また、端部１４９２にスレーブペーパ４が存在する場合には、Ａ／Ｄ変換値は「０」と検出され、図２における端部１４９２の左隣にスレーブペーパ４が存在する場合には、Ａ／Ｄ変換値は「１」と検出される。そして、マスタペーパ３の図２における右隣にスレーブペーパ４が存在する場合にはＡ／Ｄ変換値は「１２９」と検出され、さらに右隣に存在する場合には「１３０」と検出される。また、マスタペーパ３の左隣にスレーブペーパ４が存在する場合にはＡ／Ｄ変換値は「１２７」と検出され、さらに左隣に存在する場合には「１２６」と検出され、さらに左隣に存在する場合には「１２５」と検出される。尚、マスタペーパ３は、位置検出用リング２４において、Ａ／Ｄ変換値が「１２８」に対応する位置に固定されている。
【００７６】
次に、図３を参照して、表示装置１の電気的構成について説明する。図３に示すように、表示装置１は、マスタペーパ３とスレーブペーパ４とから構成されている。尚、スレーブペーパ４は複数接続可能であるが、電気的構成はどのスレーブペーパ４でも同様であるため、図３においては１枚のスレーブペーパ４のみを記載している。
【００７７】
マスタペーパ３は、マスタペーパ３の全体を制御するＣＰＵ３１と、プログラム等を記憶したＲＯＭ３２と、データを一時的に記憶するＲＡＭ３３と、マスタペーパ３の製造番号を記憶したＥＥＰＲＯＭ３４とを備えている。そして、ＲＯＭ３２とＲＡＭ３３とＥＥＰＲＯＭ３４とはバスを介してＣＰＵ３１に接続されている。ＥＥＰＲＯＭ３４に記憶された製造番号は、それぞれのマスタペーパ３に固有の番号であり、他のマスタペーパ３から一意に識別できるマスタペーパ３の識別情報である。
【００７８】
また、表示中のデータの書換可否や一時書換えされた表示用データの復元指示を使用者が入力するためのタッチパネル３０と、表示用データを閲覧可能に表示するための表示部３６と、表示用データ又は表示用データの所在情報を記憶するメモリカード３８を読み込むためのメモリカードインタフェイス（Ｉ／Ｆ）１３７と、通信用リング２３に接続してスレーブペーパ４との間でデータ通信を行うための通信回路を備えた内部通信部３５と、時間を計測するための計時装置３６とも同様にバスを介してＣＰＵ３１に接続されている。そして、位置検出リング２４のスイッチ１４８に接続し、位置検出リング２４の開閉を検出する開閉検出部３９もバスを介してＣＰＵ３１に接続されている。尚、タッチパネル３０が本発明の選択手段及び復元指示手段に相当する。
【００７９】
メモリカード３８には、複数の表示用データから構成されるコンテンツが記憶されている。表示用データは１ページ分の画像や文書のデータである。一つの表示用データに基づいて電子ペーパ５の表示部３６，４６には１ページ分の画像や文書が出力される。メモリカード３８には上述のコンテンツが複数記憶されている。
【００８０】
尚、表示部３６では、表示用データの他に書替可否情報を表示してもよい。尚、書替可否情報の表示方法は表示部３６に限定されず、例えば電子ペーパ５の角を折ったり、電子ペーパ５の一部が突起するなど、電子ペーパ５の形状を変化させてもよい。
【００８１】
さらに、マスタペーパ３には、マスタペーパ３及び綴じ部材２に綴じられているスレーブペーパ４に電源を供給するバッテリー５４、表示装置１を安定して動作させるためのアース５５が設けられている。バッテリー５４は、スレーブペーパ４への電源供給のために、電源供給用リング２１に接続しており、アース５５は、スレーブペーパ４の動作安定のために接地用リング２２に接続している。さらに、位置検出用リング２４へ電流を流すために、バッテリー５４及びアース５５は位置検出用リング２４に接続している。
【００８２】
一方、スレーブペーパ４は、スレーブペーパ４の全体を制御するＣＰＵ４１と、プログラム等を記憶したＲＯＭ４２と、データを一時的に記憶するＲＡＭ４３と、スレーブペーパ４の製造番号を記憶したＥＥＰＲＯＭ４４とを備えている。そして、ＲＯＭ４２とＲＡＭ４３とＥＥＰＲＯＭ４４とはバスを介してＣＰＵ４１に接続されている。また、表示中のデータの書換可否を使用者が入力するためのタッチパネル４０と、表示用データを閲覧可能に表示するための表示部４６も、ＣＰＵ４１に接続されている。
【００８３】
そして、通信用リング２３に接続してマスタペーパ３との間でデータ通信を行うための通信回路を備えた内部通信部４５も同様にバスを介してＣＰＵ４１に接続されている。さらに、位置検出用リング２４の電気抵抗体１４４（図３参照）に接続して、電気抵抗体１４４の電圧を計測する電圧計測部４８が設けられている。そして、スレーブペーパ４がどの位置に配置されているかを検出するために電圧計測部４８に接続し、計測された電圧をＡ／Ｄ変換する位置検出部４６もＣＰＵ４１にバスを介して接続されている。尚、位置検出部４７が本発明の位置検出手段に相当する。
【００８４】
次に、図４を参照して、マスタペーパ３のＲＡＭ３３について説明する。図４に示すように、ＲＡＭ３３には、現在表示装置１に綴じられている電子ペーパ５の数を記憶する接続ペーパ数記憶領域３３１，どの電子ペーパ５に何を表示させるのかを示す接続ペーパ管理テーブル（後述）を記憶する接続ペーパ管理テーブル記憶領域３３２，更新前の接続ペーパ管理テーブルを記憶する前状態管理テーブル記憶領域３３３，表示部３６に表示する表示用データを格納するためのページデータ展開領域３３４，メモリカード３６へのアクセス時に一時使用領域として使用するメモリカードアクセス用ワークエリア３３５，一時的に使用するための表示処理ワークエリア３３６，書換不可に設定されているが一時的に書き換えられている電子ペーパ５がある場合にその内容を記憶する一時書換リスト記憶領域３３７が設けられている。尚、ＲＡＭ３３には、図示外のその他の記憶領域も設けられている。
【００８５】
次に、図５を参照して、マスタペーパ３のＥＥＰＲＯＭ３４について説明する。図５に示すように、ＥＥＰＲＯＭ３４には、マスタペーパ３の製造番号を記憶したマスタペーパ製造番号記憶領域３４１と、マスタペーパ３の表示部３６に表示されている内容の書換を許可するか否かを示す書換可否情報を記憶した書換可否情報記憶領域３４２が設けられている。マスタペーパ製造番号記憶領域３４１に記憶された製造番号は、それぞれのマスタペーパ３に固有の番号であり、他のマスタペーパ３から一意に識別できるマスタペーパ３の識別情報である。
【００８６】
次に、図６を参照して接続ペーパ管理テーブル記憶領域３３２に記憶された接続ペーパ管理テーブルについて説明する。接続ペーパ管理テーブルは、綴じられている電子ペーパ５の順序を示すペーパページ番号３３２１，各電子ペーパの製造番号であるペーパ番号３３２２，その電子ペーパ５の位置情報を０〜２５５の値で示す環内位置３３２３，その電子ペーパが綴じ部材２に接続されているか否かを示す接続状態３３２４の項目のデータが各電子ペーパについて格納されている。また、各電子ペーパ５の書換可否情報３３２５は、表示用データの書き込みの際にスレーブペーパ４から取得され、随時記憶されるが、説明の便宜のため、図６では接続ペーパ管理テーブルに並べて記載している。
【００８７】
次に、図７を参照して、スレーブペーパ４のＲＡＭ４３について説明する。図７に示すように、ＲＡＭ４３には、位置検出部４７の検出結果である位置情報を記憶する接続位置記憶領域４３１，綴じられている電子ペーパ５の中で当該スレーブペーパ４が何番目かを示すペーパページ番号を記憶するペーパページ番号記憶領域４３２，表示部４６に表示する表示用データを格納するためのページデータ展開領域４３３，図示外のその他の記憶領域が設けられている。
【００８８】
次に、図８を参照して、スレーブペーパ４のＥＥＰＲＯＭ４４について説明する。図８に示すように、ＥＥＰＲＯＭ４４には、スレーブペーパ４の製造番号を記憶したスレーブペーパ製造番号記憶領域４４１と、スレーブペーパ４の表示部４６に表示されている内容の書換を許可するか否かを示す書換可否情報を記憶した書換可否情報記憶領域４４２と、表示用データを一時的に保存しておくための一時保存ページデータ記憶領域４４３とが設けられている。スレーブペーパ製造番号記憶領域４４１に記憶された製造番号は、それぞれのスレーブペーパ４に固有の番号であり、他のスレーブペーパ４から一意に識別できるスレーブペーパ４の識別情報である。尚、一時保存ページデータ記憶領域４４３が本発明の一時記憶手段に相当する。
【００８９】
次に、以上の構成を有する表示装置１の動作について、図９〜図２６を参照して説明する。まず、図９及び図１０を参照して、本発明の出力装置であるマスタペーパ３のメイン処理について説明し、次に、図１１を参照して、マスタペーパ３からのコマンドを受信して動作するスレーブペーパ４のメイン処理について説明する。本発明の要部である、コンテンツ選択の際に連続したページに表示させる処理については、図１２以降を参照してその後説明する。図９は、マスタペーパ３のメイン処理（マスタペーパメイン処理）のフローチャートである。図１０は、マスタペーパメイン処理の中で実行されるペーパ情報収集処理のフローチャートである。図１１は、スレーブペーパ４のメイン処理（スレーブペーパメイン処理）のフローチャートである。
【００９０】
図示しない電源ボタンによりマスタペーパ３の電源がＯＮされると、マスタペーパメイン処理が開始される。図９に示すように、マスタペーパメイン処理が開始されると、まず、表示装置１に綴じられている電子ペーパ５の情報であるペーパ情報を収集するペーパ情報収集処理を実行する（Ｓ２０）。尚、ペーパ情報とは、どのスレーブペーパ４がどこに位置しているかを示す情報である。
【００９１】
ここで、ペーパ情報収集処理の詳細について、図１０を参照して説明する。ペーパ情報収集処理では、０〜２５５の位置にあるスレーブペーパ４に順に製造番号を問い合わせ、どのスレーブペーパ４がどこに位置しているかの対応関係を接続ペーパ管理テーブルに記憶させる。
【００９２】
図１０に示すように、まず走査位置に０をセットして初期化する。そして、マスタペーパ３自身は表示装置１内に綴じられていることから、まずマスタペーパ３についてのペーパ情報を記憶する。すなわち、接続ペーパ数記憶領域３３１に接続ペーパ数を１と記憶し、マスタペーパ３の製造番号と位置情報を接続ペーパ管理テーブルに記憶する（Ｓ２１）。
【００９３】
次に、０の走査位置から順にスレーブペーパ４に対して製造番号を問い合わせる処理を行う。問い合わせた走査位置にスレーブペーパ４が存在しない場合には応答が返ってこないので、その場合にはタイムアウト処理を行う。そこで、まず応答待ちのためのタイマをセットする（Ｓ２２）。次に、対象とする走査位置にある可能性のあるスレーブペーパ４に対して製造番号を問い合わせる（Ｓ２３）。尚、本実施形態では、マスタペーパ３とスレーブペーパ４間のデータ送信は、（宛先タイプ，宛先位置，宛先製造番号，コマンド，データ）のような形式を用いて行っている。ここでは、例えば、０の走査位置に対して製造番号を問い合わせるコマンド（Ｓ，０，＊，ＲＥＱＩＤ）を送信する。
【００９４】
次に、このコマンド送信に対してスレーブペーパ４から応答が得られたか否かを判断する（Ｓ２４）。応答があった場合には（Ｓ２４：ＹＥＳ）、応答にあったスレーブペーパ４の製造番号を接続ペーパ管理テーブルのペーパ番号３３２２に、今回対象としている走査位置を環内位置３３２４に記憶する（Ｓ２５）。そして、綴じられている電子ペーパの数（接続ペーパ数）に１を加算する（Ｓ２６）。一方、応答がない場合は（Ｓ２４：ＮＯ）、所定時間経過してタイムアウトになるまで（Ｓ２７：ＮＯ）、Ｓ２４に戻って処理を繰り返し、タイムアウトになったら（Ｓ２７：ＹＥＳ）、次の走査位置の処理に進む（Ｓ２８）。
【００９５】
対象走査位置の処理が終了したら（Ｓ２６又はＳ２７：ＹＥＳ）、次の走査位置を対象とするために走査位置に１を加算する（Ｓ２８）。そして、走査位置２５５まで処理が終了するまで（Ｓ２９：ＮＯ）、Ｓ２４〜Ｓ２９を繰り返す。全ての走査位置について処理が終了したら、接続ペーパ管理テーブルのレコードを環内位置３３２４をキーにして並び替える（Ｓ３０）。以上で表示装置１内の全ての電子ペーパの位置と製造番号が収集できたので、ペーパ情報収集処理を終了してマスタペーパメイン処理に戻る。
【００９６】
次に、図９に戻ってマスタペーパメイン処理の説明を継続する。ペーパ情報収集処理が終了したので（Ｓ２０）、次に、マスタペーパ３にコンテンツ一覧を表示する（Ｓ４０）。このように、本実施形態では、マスタペーパ３をコンテンツが選択可能な目次ページとして機能させている。
【００９７】
次に、電源がＯＦＦにされた場合には（Ｓ５０：ＹＥＳ）、処理を終了し、電源がＯＦＦにされていない場合には（Ｓ５０：ＮＯ）、次に、綴じ部材２が開閉されたか否かを判断する（Ｓ６０）。既に述べたように、綴じ部材２の開閉は、位置検出リング２４のスイッチ１４８により検出される。開閉されていれば（Ｓ６０：ＹＥＳ）、電子ペーパの追加や取り外しが行われている可能性があるので、接続ペーパ管理テーブルを前状態管理テーブルとして前状態管理テーブル記憶エリア３３３にコピーしてから（Ｓ７０）、再度ペーパ情報収集処理を実行し（Ｓ８０，図１０）、Ｓ５０に戻る。
【００９８】
綴じ部材２が開閉されていない場合には（Ｓ６０：ＮＯ）、次に、マスタペーパ３のタッチパネル３０からコンテンツが選択されたか否かを判断する（Ｓ９０）。コンテンツが選択された場合には（Ｓ９０：ＹＥＳ）、選択コンテンツをスレーブペーパ４に表示させる選択コンテンツ表示処理を実行し（Ｓ１００）、Ｓ５０に戻る。選択コンテンツ表示処理の詳細は、本発明の要部に関わるので、図１２以降を参照して後述する。
【００９９】
コンテンツが選択されていない場合は（Ｓ９０：ＮＯ）、マスタペーパ３の書換可否情報がタッチパネル３０から変更入力されたか否かを判断する（Ｓ１１０）。変更入力がなされると、それまでが書換可であれば書換不可に、書換不可であれば書換可に変更される。書換可否情報の変更の場合には（Ｓ１１０：ＹＥＳ）、ＥＥＰＲＯＭ３４の書換可否情報記憶領域３４２を変更し（Ｓ１２０）、その変更結果を表示部３６に表示する（Ｓ１３０）。そしてＳ５０に戻る。書換可否情報の変更入力がなされていない場合には（Ｓ１１０：ＮＯ）、そのままＳ５０に戻る。マスタペーパ３では、以上の処理を電源がＯＦＦにされるまで繰り返し行う。
【０１００】
次に、図１１を参照して、スレーブペーパ４で実行されるスレーブペーパメイン処理について説明する。図１１に示すように、まず、位置検出部４７の出力値を取得して、自身の接続位置を更新し、接続位置記憶領域４３１に記憶する（Ｓ１５１）。例えば、ペーパ番号［Ｓ００２３４］のスレーブペーパ４の場合、接続位置「１２９」が取得され、記憶される。次に、マスタペーパ３からのコマンド受信又はユーザの操作を待つ（Ｓ１５２）。
【０１０１】
次に、マスタペーパ３から受信したコマンドに含まれる宛先位置が、自身の接続位置（接続位置記憶領域４３１に記憶されている位置）であるか否かを判断する。宛先位置が接続位置である場合には（Ｓ１５３：ＹＥＳ）、受信したコマンドが、製造番号の問い合わせコマンド（ＲＥＱＩＤ）であるか否かを判断する（Ｓ１５４）。製造番号の問い合わせである場合には（Ｓ１５４：ＹＥＳ）、ＥＥＰＲＯＭ４４のスレーブペーパ製造番号記憶領域４４１に記憶されているスレーブペーパ４自身の製造番号をマスタペーパ３に応答する（Ｓ１５５）。本実施形態では、この応答送信は（Ｍ，＊，＊，ＳＥＮＤＩＤ，製造番号）となる。製造番号の問い合わせコマンドでない場合は（Ｓ１５４：ＮＯ）、そのままＳ１５１に戻る。
【０１０２】
例えば、［Ｓ００２３４］のスレーブペーパ４の場合、受信したコマンドに含まれる宛先位置が「１２９」であり（Ｓ１５３：ＹＥＳ）、さらにＲＥＱＩＤコマンドを受信していれば（Ｓ１５４：ＹＥＳ）、マスタペーパ３に（Ｍ，＊，＊，ＳＥＮＤＩＤ，Ｓ００２３４）と送信する。
【０１０３】
宛先位置が接続位置でない場合には（Ｓ１５３：ＮＯ）、次に、宛先となっている製造番号が自身の製造番号か否かを判断する（Ｓ１５６）。宛先製造番号が自身の製造番号でない場合には（Ｓ１５６：ＮＯ）、そのままＳ１５１に戻る。
【０１０４】
宛先製造番号が自身の製造番号である場合には（Ｓ１５６：ＹＥＳ）、受信したコマンドが表示画像の書き込みの指示コマンド（ＲＥＱＷＲＩＴＥ）であるか否かを判断する（Ｓ１５７）。書き込み指示である場合には（Ｓ１５７：ＹＥＳ）、コマンドとともに受信した表示用データをページデータ展開領域４３３に書き込み（Ｓ１５８）、続いて、展開した表示用データを表示部４６に表示させる（Ｓ１５９）。そして、ページデータ展開領域４３３に書き込んだ表示用データ（ページデータ）を、一時保存ページデータ記憶領域４４３に記憶して（Ｓ１６０）、表示を完了した旨をマスタペーパ３に応答する（Ｓ１６１）。そして、Ｓ１５１に戻る。本実施形態では、この応答送信は（Ｍ，＊，＊，ＳＥＮＤＤＯＮＥ，ＮＵＬＬ）となる。ここで、一時保存ページデータ記憶領域４４３に記憶したページデータは、スレーブペーパ４が書換不可の場合に一時的に書換を行ったり、表示内容を他のページに移動させたりした後、元の表示内容を復元させるときに使用される（詳細は後述）。
【０１０５】
書き込み指示コマンド（ＲＥＱＷＲＩＴＥ）でなかった場合には（Ｓ１５７：ＮＯ）、次に、受信したコマンドが位置情報の問い合わせコマンド（ＲＥＱＰＯＳ）であるか否かを判断する（Ｓ１６２）。位置情報の問い合わせである場合には（Ｓ１６２）、接続位置記憶領域４３１に記憶されている位置情報を取り出して、マスタペーパ３に応答する（Ｓ１６３）。本実施形態では、この応答送信は（Ｍ，＊，＊，ＳＥＮＤＰＯＳ，接続位置）となる。そして、Ｓ１５１に戻る。
【０１０６】
位置情報の問い合わせコマンド（ＲＥＱＰＯＳ）でなかった場合には（Ｓ１６２：ＮＯ）、次に、受信したコマンドがスレーブペーパ４の書換可否情報を変更させるコマンド（ＲＥＱＷＲＷ）であるか否かを判断する（Ｓ１６４）。書換可否情報変更コマンドの場合には（Ｓ１６４：ＹＥＳ）、ＥＥＰＲＯＭ４４の書換可否情報記憶領域４４２の内容を、書換可から書換不可に、又は書換不可から書換可に変更する（Ｓ１６５）。そして、変更された書換可否情報を表示部４６に表示して（Ｓ１６６）、指示された処理を完了（書換可否情報を変更）した旨をマスタペーパ３に応答する（Ｓ１６７）。本実施形態では、この応答送信は（Ｍ，＊，＊，ＳＥＮＤＤＯＮＥ，ＮＵＬＬ）となる。そして、Ｓ１５１に戻る。
【０１０７】
書換可否情報変更コマンド（ＲＥＱＷＲＷ）でなかった場合には（Ｓ１６４：ＮＯ）、次に、受信したコマンドがスレーブペーパ４の書換可否情報の問い合わせコマンド（ＲＥＱＲＲＷ）であるか否かを判断する（Ｓ１６８）。書換可否情報の問い合わせの場合には（Ｓ１６８：ＹＥＳ）、ＥＥＰＲＯＭ４４の書換可否情報記憶領域４４２に記憶されている内容を取り出してマスタペーパ３に応答する（Ｓ１６９）。本実施形態では、この応答送信は（Ｍ，＊，＊，ＳＥＮＤＲＷ，書換可否情報）となる。
【０１０８】
書換可否情報の問い合わせコマンドでない場合は（Ｓ１６８：ＮＯ）、次に、スレーブペーパ４のタッチパネル４０から書換可否情報の変更が入力されたか否かを判断する（Ｓ１７０）。変更入力がなされると、それまでが書換可であれば書換不可に、書換不可であれば書換可に変更される。書換可否情報の変更の場合には（Ｓ１７０：ＹＥＳ）、ＥＥＰＲＯＭ４４の書換可否情報記憶領域４４２の記憶内容を変更し（Ｓ１７１）、その変更結果を表示部４６に表示する（Ｓ１７２）。そして、Ｓ１５１に戻る。
【０１０９】
以上のように、スレーブペーパ４では、接続位置を更新しつつ、マスタペーパ３からのコマンド受信を待ち、受信したコマンドに従って表示部４６への表示内容を更新したり、書換可否情報を変更したり、製造番号や書換可否情報をマスタペーパ３に送信したりする。また、使用者からの操作に従って、書換可否情報を変更する。
【０１１０】
次に、本発明の要部である、書換不可の電子ペーパがあっても連続したペーパに選択コンテンツを表示させる処理について図１２〜図２６を参照して説明する。この選択コンテンツの表示処理の方法として、第一から第三実施形態があり、さらに、それらの組み合わせを行う第四実施形態があるので、以下、順に説明する。まず、図１２及び図１３を参照して、選択コンテンツ表示処理について説明する。この選択コンテンツ表示処理自体は、マスタペーパメイン処理のＳ１００で実行され（図９参照）、変形例を除き、第一から第三実施形態に共通のものである。図１２は、マスタペーパメイン処理の中で実行される選択コンテンツ表示処理のフローチャートである。図１３は、選択コンテンツ表示処理の中で実行されるデータ表示処理のフローチャートである。
【０１１１】
図１２に示すように、選択コンテンツ表示処理（図９：Ｓ１００）が開始されると、まず、タッチパネル３０から選択されたコンテンツのページ数が接続ペーパ数以下かどうかを判断する（Ｓ２０１）。選択コンテンツのページ数はメモリカード３８に記憶されており、接続ペーパ数はＲＡＭ３３の接続ペーパ数記憶領域３３１に記憶されているので、これらを参照して判断する。
【０１１２】
本実施形態では、選択コンテンツの全ページをスレーブペーパ４に表示させるようにしているので、例えば選択コンテンツのページ数が６ページ以上有り、接続ペーパ数（５）を超えている場合には（Ｓ２０１：ＮＯ）、選択コンテンツの表示に必要なスレーブペーパ数が不足している旨の表示をマスタペーパ３の表示部３６に表示して（Ｓ２２０）、コンテンツの表示は実行せずにマスタペーパメイン処理に戻る。本実施形態の表示装置１は、スレーブペーパ４の数を適宜変更できるので、使用者がコンテンツの表示に十分な数のスレーブペーパ４を追加して、再度コンテンツの選択を実行すれば、表示がなされ、閲覧することができる。
【０１１３】
選択コンテンツのページ数が接続ペーパ数以下であれば（ＳＳ２０１：ＹＥＳ）、次に、選択コンテンツを表示させる最初のスレーブペーパ４を決定する書換開始位置取得処理を実行する（Ｓ２０３）。本実施形態では、必ず連続して選択コンテンツを表示させることとしているので、この書換開始位置取得処理は、選択コンテンツのページ数に見合う数のスレーブペーパ４が連続している箇所を検索したり、一時的にそのような箇所を作成したりして、書換開始位置（選択コンテンツの先頭ページを表示させるペーパのページ番号）を取得する処理となる。この書換開始位置取得処理が本発明の要部であり、その実施の形態が大きく分けて３つある。詳細については、後述する。
【０１１４】
書換開始位置取得処理の終了後、書換開始位置（選択コンテンツの先頭ページを表示させるペーパのページ番号）が取得できたか、すなわち、選択コンテンツ表示のための連続ページが確保できたか否かを判断する（Ｓ２０４）。書換開始位置は、書換開始位置取得処理の中で、「startpos」として取得される。書換開始位置が取得できなかった場合には（Ｓ２０４：ＮＯ）、連続ページに選択コンテンツが表示できないので、選択コンテンツの表示に必要なスレーブペーパ数が不足している旨の表示をマスタペーパ３の表示部３６に表示して（Ｓ２２０）、コンテンツの表示は実行せずにマスタペーパメイン処理に戻る。
【０１１５】
書換開始位置が取得できた場合には（Ｓ２０４：ＹＥＳ）、その開始位置のスレーブペーパ４以降のスレーブペーパ４に連続して選択コンテンツを表示させるデータ表示処理を実行する（Ｓ２１０）。ここで、図１３を参照して、データ表示処理の詳細について説明する。ここでは、書換開始位置「startpos」が「２」で、選択コンテンツのページ数が４の場合を例に説明する。
【０１１６】
図１３に示すように、まず、表示内容を書き換えるべきスレーブペーパ４のページ番号である書換ページ番号に書換開始位置取得処理で取得した書換開始位置「startpos」を設定する（Ｓ２１１）。ここでは、「２」が書換ページ番号に設定される。そして、書換ページ番号から書換開始位置「startpos」を差し引いた値が選択コンテンツのページ数以上であるかを判断する（Ｓ２１２）。初回の処理では、書換ページ番号と書換開始位置「startpos」の値は等しいので、書換ページ番号と書換開始位置の差は「０」となる。一方、選択コンテンツのページ数は「４」である（Ｓ２１２：ＮＯ）。
【０１１７】
これは、まだ全てのページについて表示処理が終了していないことを意味するので、次に、接続ペーパ管理テーブルを参照して、書換ページ番号に対応するスレーブペーパ４の接続状態が「接続」であるかどうかを判断する（Ｓ２１３）。書換ページ番号のスレーブペーパ４が接続されていなければ（Ｓ２１３：ＮＯ）、そのスレーブペーパ４には書き込みができないので、そのまま書換ページ番号に１を加算して（Ｓ２１４）、次の位置のスレーブペーパ４への書き込み処理を実行するためにＳ２１２に戻る。
【０１１８】
図６に示すように、書換ページ番号「２」のスレーブペーパ４である［Ｓ００２３４］は接続されているので（Ｓ２１３：ＹＥＳ）、書換ページ番号のコンテンツデータをメモリカード３８から読み出して表示用データに展開し、ページデータ展開領域３３４に格納する（Ｓ２１５）。そして、書換ページ番号「２」に対応するスレーブペーパ４の製造番号［Ｓ００２３４］に宛てて表示用データを送信する。この場合のデータ送信は、（Ｓ，＊，［Ｓ００２３４］，ＲＥＱＷＲＩＴＥ，［表示用データ］）となる。前述のように、このコマンドを受信したスレーブペーパ４は、その表示部４６に受信した表示用データを表示させ、表示完了を通知してくるので、その応答を受信するまで待機する（Ｓ２１６）。これらＳ２１５及びＳ２１６の処理で、１ページの表示用データの表示処理が終了するので、書換ページ番号に１を加算して「３」とし（Ｓ２１４）、次の位置のスレーブペーパ４への書き込み処理を実行するためにＳ２１２に戻る。
【０１１９】
次回の処理では、書換ページ番号（３）−  書換開始位置（２）は、「１」となり、まだ選択コンテンツのページ数「４」より小さいので（Ｓ２１２：ＮＯ）、次のスレーブペーパ４（［Ｓ０４０５８］）に表示処理を実行させ（Ｓ２１３〜Ｓ２１６）、書換ページ番号に１を加算して「４」とし（Ｓ２１４）、Ｓ２１２に戻る。
【０１２０】
次の処理では、書換ページ番号（４）−  書換開始位置（２）は、「２」となり、まだ選択コンテンツのページ数「４」より小さいので（Ｓ２１２：ＮＯ）、次のスレーブペーパ４（［Ｓ０３７４１］）に表示処理を実行させ（Ｓ２１３〜Ｓ２１６）、書換ページ番号に１を加算して「５」とし（Ｓ２１４）、Ｓ２１２に戻る。
【０１２１】
次の処理では、書換ページ番号（５）−  書換開始位置（２）は、「３」となり、まだ選択コンテンツのページ数「４」より小さいので（Ｓ２１２：ＮＯ）、次のスレーブペーパ５（［Ｓ０８５０７］）に表示処理を実行させ（Ｓ２１３〜Ｓ２１６）、書換ページ番号に１を加算して「６」とし（Ｓ２１４）、Ｓ２１２に戻る。
【０１２２】
次の処理では、書換ページ番号（６）−  書換開始位置（２）は、「４」となり、選択コンテンツのページ数「４」に達し（Ｓ２１２：ＹＥＳ）、選択コンテンツの全てのページが表示されたので、選択コンテンツ表示処理（図１２）に戻り、さらにマスタペーパメイン処理（図９）に戻る。
【０１２３】
ところで、上記実施形態では、図１２及び図１３で説明したように、書換開始位置取得処理の後、データ表示処理をするが、書換開始位置取得処理をする前にあらかじめ書換不可設定されているスレーブペーパ４を例えば後方に寄せておくようにしてもよい。このような変形例について、図１４及び図１５を参照して説明する。図１４は、第一実施形態の変形例の選択コンテンツ表示処理のフローチャートである。図１５は、変形例の選択コンテンツ表示処理の中で実行される書換不可ペーパ移動処理のフローチャートである。
【０１２４】
図１４に示すように、変形例の選択コンテンツ表示処理が開始されると、まず書換不可ペーパ移動処理を実行する（Ｓ２０２）。ここで、図１５を参照して書換不可ペーパ移動処理の詳細を説明する。
【０１２５】
図１５に示すように、書換不可ペーパ移動処理が開始されると、まず、接続ペーパ数記憶領域３３１に記憶されている接続ペーパ数を書換ページ番号に設定する（Ｓ２２１）。これによって、最後尾のペーパから順に処理がなされることになる。図６に示すように、本実施形態では接続ペーパ数は５であるから、書換ページ番号に５が設定される。
【０１２６】
次に、書換ページ番号が１以上であれば（Ｓ２２２：ＹＥＳ）、その書換ページ番号（初回の処理では「５」）に対応するスレーブペーパ４（初回の処理では、Ｓ０８５０７）に書換可否情報を問い合わせるコマンド（ＲＥＱＲＲＷ）を送信し、スレーブペーパ４からの応答受信を待つ（Ｓ２２３）。本実施形態では、このコマンド送信は、（Ｓ，＊，［書換ページ番号に対応するペーパの製造番号］，ＲＥＱＲＲＷ）となる。
【０１２７】
そして、受信した応答内容から書換可否情報を取得し、その結果当該ペーパが書換不可か否かを判断する（Ｓ２２４）。書換可であれば（Ｓ２２４：ＮＯ）、表示内容の移動は必要ないので、そのまま次のスレーブペーパ４の処理を行うために書換ページ番号から１を差し引く（Ｓ２３１）。ここでは、ページ番号「５」のスレーブペーパ４が書換可だった場合、次の「４」となり、Ｓ２２２に戻る。
【０１２８】
書換ページ番号に対応するペーパが書換不可の場合は（Ｓ２２４：ＹＥＳ）、そのページの表示内容を移動させるため、移動先の検索処理を実行する（Ｓ２２５）。ここで、ページ番号「４」のスレーブペーパ４が書換不可だったとして、移動先検索処理について、図２３を参照して説明する。図２３は、移動先検索処理のフローチャートである。尚、このフローチャートに従う処理は、後述する第三実施形態の書換開始位置取得処理の中でも実行される。
【０１２９】
図２３に示すように、移動先検索処理では、まず、接続ペーパ数記憶領域３３１に記憶されている接続ペーパ数を書換ページ番号に設定する（Ｓ５０１）。従って、初回の処理では「５」が設定される。次に、書換ページ番号の値が、移動させたいスレーブペーパ４のページ番号（curpos）より大きいかどうか、すなわち、移動させたいスレーブペーパ４よりも後方にスレーブペーパ４が存在するか否かを判断する（Ｓ５０３）。現在の例では、移動させたいスレーブペーパ４のページ番号「curpos」は４である。初回の処理の書換ページ番号の値は「５」であるから、curposよりも大きい（Ｓ５０３：ＹＥＳ）。そこで、その書換ページ番号に対応するスレーブペーパ４（ここでは、［Ｓ０８５０７］）に書換可否情報を問い合わせるコマンド（ＲＥＱＲＲＷ）を送信し、スレーブペーパ４からの応答受信を待つ（Ｓ５０５）。本実施形態では、このコマンド送信は、（Ｓ，＊，［Ｓ０８５０７］，ＲＥＱＲＲＷ）となる。
【０１３０】
受信した応答内容から書換可否情報を取得し、その結果当該スレーブペーパ４が書換可か否かを判断する（Ｓ５０６）。書換可の場合は（Ｓ５０６：ＹＥＳ）、表示内容を移動することができるから、当該スレーブペーパ４に移動先を決定する。すなわち、移動先「forwardpos」に書換ページ番号の値を設定して（Ｓ５０７）、書換開始位置取得処理に戻る。ここでは、「forwardpos」が「５」に設定される。書換不可だった場合は（Ｓ５０６：ＮＯ）、そのスレーブペーパ４には移動できないので、１つ前に位置するスレーブペーパ４に移動できるかどうかをチェックするために、書換ページ番号から１を差し引いて（Ｓ５０９）、Ｓ５０３に戻る。
【０１３１】
また、書換ページ番号の値が、移動させたいスレーブペーパ４（curpos）以下となった場合、例えば、先の例で、ページ番号「５」のスレーブペーパ４が書換不可であった場合、次の処理では書換ページ番号は「４」となる。移動させたいスレーブペーパ４（curpos）も４であるから、４から４に移動させることはできない（Ｓ５０３：ＮＯ）。従って、移動させる先がないので、移動先「forwardpos」を「null」とし、値を設定せず（Ｓ５０４）、親の処理に戻る。
【０１３２】
図１５に戻ると、移動先検索処理により、移動先「forwardpos」が見つかった場合には（Ｓ２２６：ＹＥＳ）、書換ページ番号に対応するペーパのＥＥＰＲＯＭ４４の一時保存ページデータ記憶領域４４３に格納されている一時保存ページデータを取得する（Ｓ２２７）。そして、移動先のスレーブペーパ４に一時保存ページデータを表示させるコマンドをデータと共に送信し、移動先ペーパから応答受信を待つ（Ｓ２２８）。ここでのコマンドは、（Ｓ，＊，［forwardposに対応するペーパの製造番号］，ＲＥＱＷＲＩＴＥ，ページデータ）となる。上の例では、ページ番号「４」のスレーブペーパ４（Ｓ０３７４１）のデータがページ番号「５」のスレーブペーパ４（Ｓ０８５０７）に送信される。
【０１３３】
次に、移動先のスレーブペーパ４を書換不可に変更するコマンドを送信して移動先ペーパから応答受信を待つ（Ｓ２２９）。ここでのコマンドは、（Ｓ，＊，［forwardposに対応するペーパの製造番号］，ＲＥＱＷＲＷ）となる。上の例では、移動先であるページ番号「５」のスレーブペーパ４（Ｓ０８５０７）に書換可否情報変更コマンドが送られる。
【０１３４】
そして、書換ページ番号に対応するペーパを書換可に変更するコマンドを送信して移動先ペーパから応答受信を待つ（Ｓ２３０）。ここでのコマンドは、（Ｓ，＊，［書換ページ番号に対応するペーパの製造番号］，ＲＥＱＷＲＷ）となる。上の例では、書換ページ番号に対応しているページ番号「４」のスレーブペーパ４（Ｓ０３７４１）に書換可否情報変更コマンドが送られる。
【０１３５】
以上の処理により、書換不可であった書換ページ番号に対応するスレーブペーパ４の表示内容が移動され、そのスレーブペーパ４は書換可となり、移動先のスレーブペーパ４が書換不可となったので、書換ページ番号から１を引いて（Ｓ２３１）、次のスレーブペーパ４について処理をするためＳ２２２に戻る。以上の処理を書換ページ番号が１になるまで（Ｓ２２２：ＹＥＳ）繰り返すことにより、書換不可の表示内容のページは表示装置１内で後方に寄せられることになる。
【０１３６】
書換ページ番号が１になったら（Ｓ２２２：ＮＯ）、図１４の変形例の選択コンテンツ表示処理に戻る。そして、以後は、図１２で既述のように、書換開始位置取得処理を実行し（Ｓ２０３）、書換開始位置が取得できていれば（Ｓ２０４：ＹＥＳ）、データ表示処理を実行して選択コンテンツをスレーブペーパ４に表示される（Ｓ２１０）。書換開始位置が取得できていなければ（Ｓ２０４：ＮＯ）、選択コンテンツの表示に必要なスレーブペーパ数が不足している旨の表示をマスタペーパ３の表示部３６に表示して（Ｓ２２０）、コンテンツの表示は実行せずにマスタペーパメイン処理（図９）に戻る。
【０１３７】
次に、上述の選択コンテンツ表示処理の中で実行される書換開始位置取得処理の３つの実施形態について、順に説明する。まず、一時的に書換不可のスレーブペーパ４を書換可に変更して表示を行う書換開始位置取得処理の第一実施形態について図１６〜図１８を参照して説明する。図１６は、選択コンテンツ表示処理の中で実行される書換開始位置取得処理の第一実施形態のフローチャートである。図１７は、第一実施形態の書換開始位置取得処理で使用される一時書換リストのデータ構造を示す模式図である。図１８は、第一実施形態の書換開始位置取得処理により起動されるタイマイベントのフローチャートである。
【０１３８】
図１６に示すように、第一実施形態の書換開始位置取得処理が開始されると、まず初期設定として書換ページ番号に１を設定する（Ｓ３０１）。次に、その書換ページ番号に１を加算してから（Ｓ３０６）、書換ページ番号が選択コンテンツのページ数＋１よりも大きいかどうかを判断する（Ｓ３０９）。例えば、選択コンテンツのページ数が４ページであったとする。
【０１３９】
書換ページ番号が選択コンテンツのページ数＋１を超えていなければ（Ｓ３０９：ＮＯ）、その書換ページ番号に対応するスレーブペーパ４に書換可否情報を問い合わせるコマンド（ＲＥＱＲＲＷ）を送信し、スレーブペーパ４からの応答受信を待つ（Ｓ３１２）。本実施形態では、このコマンド送信は、（Ｓ，＊，［書換ページ番号に対応するペーパの製造番号］，ＲＥＱＲＲＷ）となる。初回の処理では、書換ページ番号は２であり、コンテンツのページ数（４）よりも少ないので（Ｓ３０９：ＮＯ）、ページ番号「２」のスレーブペーパ４（Ｓ００２３４）にコマンドが送られる。ここで、ページ番号「２」のスレーブペーパ４（Ｓ００２３４）には書換不可設定がされていたとする。
【０１４０】
次に、受信した応答内容から書換可否情報を取得し、その結果当該スレーブペーパ４が書換不可か否かを判断する（Ｓ３１３）。書換不可の場合は（Ｓ３１３：ＹＥＳ）、そのスレーブペーパ４を一時的に書換可にして表示内容を書き換えるために、まず、そのスレーブペーパ４のＥＥＰＲＯＭ４４の一時保存ページデータ記憶領域４４３に格納されている一時保存ページデータを取得する（Ｓ３１４）。そして、ＲＡＭ３３内に設けた一時書換リスト記憶領域３３７に、図１７に示すように、書換ページ番号、ページデータ、一時書換開始時刻を格納する（Ｓ３１６）。
【０１４１】
一時書換リストは、図１７に示すように、本来は書換不可であるが現在一時的に書換可とされて他の表示がされているスレーブペーパ４のページ番号、ページデータ、一時書換を開始した時刻の各項目を記憶しており、これらの情報がスレーブペーパ４毎に一時書換ＩＤを付与されて１レコードとなっている。そして、一時書換を解除して元の表示内容を元のスレーブペーパ４上に復元するときに用いられる。例えば、図１７に示す一時書換リストの例では、１行目のレコードには、ページ番号「２」には、元々「コンテンツＡ」の２ページ目が表示され、書換不可設定がなされていたが、2006/4/28の12:00に一時書換が開始されていることが記録されている。
【０１４２】
次に、一定時間後に一時書換終了タイマイベントを実行するためのタイマを起動する（Ｓ３１７）。タイマには、今回の一時書換を実行したスレーブペーパ４についての情報を一時書換リストに追加した際に付与される一時書換ＩＤ（例えば、図１７の１行目の例では一時書換ＩＤは「１」となる）を付与する。タイマに設定された時限が到来して一時書換終了タイマイベントが実行されると、今回の一時書換を実行したスレーブペーパ４に表示内容が復元される。
【０１４３】
ここで、一時書換終了タイマイベントについて図１８を参照して説明する。図１８に示すように、タイマに付与されている一時書換ＩＤを取得し、一時書換リストからそのＩＤの一時書換情報（ページ番号とページデータ）を取得する（Ｓ４０１）。例えば、タイマに付与されている一時書換ＩＤが「１」であり、一時書換リストが図１７の状態であれば、ページ番号「２」と「コンテンツＡ」の２ページ目のページデータが取得される。そして、そのページ番号のスレーブペーパ４（ここでは、ページ番号「２」のスレーブペーパ４（Ｓ００２３４））に取得したページデータを表示させるコマンドをデータと共に送信し、移動先ペーパから応答受信を待つ（Ｓ４０２）。ここでのコマンドは、（Ｓ，＊，［ページ番号に対応するペーパの製造番号］，ＲＥＱＷＲＩＴＥ，ページデータ）となる。
【０１４４】
次に、復元したスレーブペーパ４を書換不可に戻すコマンドを送信してそのスレーブペーパ４から応答受信を待つ（Ｓ４０３）。ここでのコマンドは、（Ｓ，＊，［ページ番号に対応するペーパの製造番号］，ＲＥＱＷＲＷ）となる。そして、タイマに付与されているＩＤの一時書換情報（レコード）を一時書換リストから削除して（Ｓ４０４）、一時書換終了タイマイベントが終了する。
【０１４５】
図１６に戻って処理の説明を継続する。タイマの起動（Ｓ３１７）後、書換ページ番号（ここでは「２」）に対応するスレーブペーパ４（Ｓ００２３４）を書換可に変更するコマンドを送信してそのスレーブペーパ４から応答受信を待つ（Ｓ３１８）。ここでのコマンドは、（Ｓ，＊，［書換ページ番号に対応するペーパの製造番号］，ＲＥＱＷＲＷ）となる。そして、Ｓ３０６に戻って書換ページ番号に１を加算し、次のページに対応するスレーブペーパ４について処理を行う。
【０１４６】
次の回の処理では、書換ページ番号は「３」となり（Ｓ３０６）、選択コンテンツのページ数（４）＋１である「５」以下であるから（Ｓ３０９：ＮＯ）、書換可否情報をチェックして（Ｓ３１２，Ｓ３１３）、書換可であれば（Ｓ３１３：ＮＯ）、そのままＳ３０６に戻って書換ページ番号に１を加算し、次のページに対応するスレーブペーパ４について処理を行う。
【０１４７】
ここでは、３〜５ページのスレーブペーパ４は書換可であるとすると、次の回の処理では、書換ページ番号は「４」となり（Ｓ３０６）、選択コンテンツのページ数（４）＋１である「５」以下であるから（Ｓ３０９：ＮＯ）、書換可否情報をチェックして（Ｓ３１２，Ｓ３１３）、書換可であるから（Ｓ３１３：ＮＯ）、そのままＳ３０６に戻って書換ページ番号に１を加算し、次のページに対応するスレーブペーパ４について処理を行う。
【０１４８】
次の回の処理では、書換ページ番号は「５」となり（Ｓ３０６）、選択コンテンツのページ数（４）＋１である「５」よりも大きくはないから（Ｓ３０９：ＮＯ）、書換可否情報をチェックして（Ｓ３１２，Ｓ３１３）、書換可であるから（Ｓ３１３：ＮＯ）、そのままＳ３０６に戻って書換ページ番号に１を加算し、次のページに対応するスレーブペーパ４について処理を行う。
【０１４９】
次の回の処理では、書換ページ番号は「６」となり（Ｓ３０６）、選択コンテンツのページ数（４）＋１である「５」よりも大きくなったので（Ｓ３０９：ＮＯ）、書換開始位置「startpos」に「２」を設定する（Ｓ３２０）。これによって、図１２の選択コンテンツ表示処理内のデータ表示処理（Ｓ２１０，図１３）により、２ページ目に位置するスレーブペーパ４から選択コンテンツが表示されることとなる。上記の例では、選択コンテンツのページ数が「４」であるから、２ページ目から５ページ目のスレーブペーパ４に選択コンテンツが連続して表示される。
【０１５０】
以上の処理により、選択コンテンツが表示されるいずれかのページに書換不可のスレーブペーパ４が当たったとしても、上述のように必ず書換可否情報を変更して一時書換を行うため、２ページ目から表示を開始して連続したページに選択コンテンツの全ページを表示させることができる。
【０１５１】
ところで、このような一時書換をする場合、一時書換して表示させたページにさらに別のコンテンツを表示させるように一時書換を重ねて実行すると、使用者が書換不可にした表示内容がなかなか復元されず、参照できない可能性がある。そこで、一度一時書換を実行したスレーブペーパ４は重ねて一時書換ができないように回数を制限してもよい。このような回数制限をする場合の変形例について、図１９を参照して説明する。図１９は、第一実施形態の書換開始位置取得処理の変形例のフローチャートである。
【０１５２】
図１９に示すように、第一実施形態の書換開始位置取得処理の変形例では、第一実施形態の書換開始位置取得処理とほぼ同様の処理を行うが、書換ページ番号のスレーブペーパ４が書換不可だった場合に（Ｓ３１３：ＹＥＳ）、一時保存ページデータ記憶領域４４３に格納されている一時保存ページデータを取得した（Ｓ３１４）後、書換ページ番号に対応するスレーブペーパ４が既に一時書換中かどうかを判断する（Ｓ３１５）。一時書換中かどうかは、一時書換リストにそのスレーブペーパ４の一時書換情報が格納されているかどうかをチェックすれば判断できる。一時書換中でなければ（Ｓ３１５：ＮＯ）、第一実施形態の書換開始位置取得処理と同様に処理を継続するが、一時書換中であれば（Ｓ３１５：ＹＥＳ）、そのページはさらに一時書換はしないこととするために書換開始位置「startpos」を「null」とし、値を設定しない（Ｓ３５０）。尚、回数の制限は一度に限らず、２度や３度を上限として設けてもよい。２回以上の回数制限をする場合は、一時書換リストにそのスレーブペーパ４の一時書換情報のレコードが存在する数をチェックして所定回数以下かどうかを判断するようにすればよい。
【０１５３】
また、上記第一実施形態では、タイマイベントを起動させることにより、一時書換を実行したスレーブペーパ４への表示内容の復元を所定時間後に行うようにしたが、使用者が復元を指示できるようにしてもよい。このような場合は、マスタペーパメイン処理内に復元指示に応じた処理を追加すればよい。このような変形例について、図２０を参照して説明する。図２０は、使用者が一時書換の復元指示をする場合の第一実施形態の変形例のマスタペーパメイン処理のフローチャートである。
【０１５４】
変形例のマスタペーパメイン処理では、基本のマスタペーパメイン処理（図９）と同様に処理を進めるが、マスタペーパ３の書換可否情報の変更操作がなかった場合に（Ｓ１１０：ＮＯ）、そのままＳ５０に戻るのではなく、復元指示操作が行われたか否かを判断する（Ｓ１４０）。復元指示操作が行われた場合には（Ｓ１４０：ＹＥＳ）、一時書換リストをチェックし、一時書換情報が格納されておらず空であれば（Ｓ１４１：ＹＥＳ）、復元すべき表示用データが存在しないのでそのままＳ５０に戻る。
【０１５５】
一方、一時書換情報が格納されていれば（Ｓ１４１：ＮＯ）、一時書換リスト先頭の一時書換情報をリストから取得し（Ｓ１４２）、対応するスレーブペーパ４に取得したページデータを表示させるコマンドをデータと共に送信し、移動先ペーパから応答受信を待つ（Ｓ１４３）。ここでのコマンドは、（Ｓ，＊，［ページ番号に対応するペーパの製造番号］，ＲＥＱＷＲＩＴＥ，ページデータ）となる。
【０１５６】
次に、復元したスレーブペーパ４を書換不可に戻すコマンドを送信してそのスレーブペーパ４から応答受信を待つ（Ｓ１４４）。ここでのコマンドは、（Ｓ，＊，［ページ番号に対応するペーパの製造番号］，ＲＥＱＷＲＷ）となる。そして、一時書換リストの先頭ＩＤの一時書換情報（レコード）を一時書換リストから削除する（Ｓ１４５）。この一連の処理を、一時書換リストが空になるまで（Ｓ１４１：ＹＥＳ）繰り返す。以上のＳ１４０〜Ｓ１４５の処理により、全ての一時書換中のページが復元されて表示され、書換不可の状態に戻るので、使用者が参照することが可能になる。
【０１５７】
上記第一実施形態では、目次である１ページ目のマスタペーパの次ページ（２ページ）から選択コンテンツの表示に必要なページ数までのスレーブペーパ４を、一時書換処理により書換可として表示させるようにした。しかし、選択コンテンツのページ数が表示装置１内のページ数よりも少なく、書換不可のページを残しつつ選択コンテンツの表示が十分にできる場合もある。このような場合に、一時書換処理はせずに、書換可のスレーブペーパ４が連続している箇所を検索し、発見されたところに選択コンテンツを書き込んで表示させるようにしてもよい。このような第二実施形態について図２１を参照して説明する。図２１は、選択コンテンツ表示処理の中で実行される書換開始位置取得処理の第二実施形態のフローチャートである。
【０１５８】
図２１に示すように、第二実施形態の書換開始位置取得処理が開始されると、まず初期設定として書換ページ番号に１を設定する（Ｓ３０１）。次に、連続ページを数えるための連続カウンタを初期化して０とする（Ｓ３０２）。次に、初期値として、書換開始位置「startpos」に２を設定する（Ｓ３０３）。次に、その書換ページ番号に１を加算してから（Ｓ３０６）、書換ページ番号が接続ペーパ数（ここでは「５」）以上かどうかを判断する（Ｓ３０７）。
【０１５９】
初回の処理では、書換ページ番号は「２」なので、接続ペーパ数「５」よりも少ないから（Ｓ３０７：ＮＯ）、次に、連続カウンタの値が選択コンテンツのページ数以上かどうかを判断する（Ｓ３１０）。連続カウンタの値は、書換可のスレーブペーパ４が連続している数を示しているので、連続カウンタの値が選択コンテンツのページ数以上であれば、その選択コンテンツを全て表示することができる。ここで、例えば選択コンテンツが３ページとする。
【０１６０】
初回の処理では、連続カウンタの値は「０」であるから、選択コンテンツのページ数「３」に満たないので（Ｓ３１０：ＮＯ）、書換ページ番号に対応するスレーブペーパ４に書換可否情報を問い合わせるコマンド（ＲＥＱＲＲＷ）を送信し、スレーブペーパ４からの応答受信を待つ（Ｓ３１２）。本実施形態では、このコマンド送信は、（Ｓ，＊，［書換ページ番号に対応するペーパの製造番号］，ＲＥＱＲＲＷ）となる。初回の処理では、ページ番号「２」のスレーブペーパ４（Ｓ００２３４）にコマンドが送られる。
【０１６１】
次に、受信した応答内容から書換可否情報を取得し、その結果そのスレーブペーパ４が書換不可か否かを判断する（Ｓ３１３）。書換不可の場合は（Ｓ３１３：ＹＥＳ）、そのスレーブペーパ４には書き込みができないので、連続カウンタを０にして（Ｓ３２２）、次のスレーブペーパ４が書換可であればそこから書き込みを開始することとして、書換開始位置「startpos」に書換ページ番号に１加算した値を設定する（Ｓ３２３）。ページ番号「２」のスレーブペーパ４が書換不可とすると、書換開始位置「startpos」を３として、次のスレーブペーパ４の処理をするためにＳ３０６に戻る。
【０１６２】
応答してきたスレーブペーパ４が書換可の場合は（Ｓ３１３：ＮＯ）、連続カウンタに１を加算して（Ｓ３２１）、次のスレーブペーパ４の処理をするためにＳ３０６に戻る。また、連続カウンタの値が選択コンテンツのページ数以上になったら（Ｓ３１０：ＹＥＳ）、Ｓ３０３又はＳ３２３で設定された書換開始位置「startpos」をマスタペーパ３の表示部３６に表示させる（Ｓ３２４）。これによって、使用者は何ページから選択コンテンツが表示されているのかを知ることができる。そして、選択コンテンツ表示処理（図１２）に戻る。
【０１６３】
例えば、３ページの選択コンテンツを表示させようとしており、ページ番号「２」のスレーブペーパ４が書換不可である場合（Ｓ３１３：ＹＥＳ）、書換開始位置は「３」となる（Ｓ３２３）。そして、ページ番号「３」、「４」、「５」のスレーブペーパ４が書換可であれば（Ｓ３１３：ＮＯ）、連続カウンタが１，２，３と加算される（Ｓ３２１）。そして、連続カウンタが「３」となったときにコンテンツのページ数に達するので（Ｓ３１０：ＹＥＳ）、書換開始位置の「３」をマスタペーパ３に表示し（Ｓ３２４）、選択コンテンツ表示処理（図１２）へ戻って、その書換開始位置「３」がデータ表示処理（図１３）で使用されることになる。
【０１６４】
尚、連続カウンタの値が選択コンテンツのページ数以上にならないうちに（Ｓ３１０：ＮＯ）、書換ページ番号が接続ペーパ数に達してしまった場合は（Ｓ３０７：ＹＥＳ）、例えば、選択コンテンツのページ数が３で、ページ番号「２」と「４」のペーパが書換不可であれば、書き込めるペーパの数が２枚しかなく、選択コンテンツを表示できるだけの連続したペーパが存在しない。これでは選択コンテンツ全体の表示は行えないため、書換開始位置「startpos」を「null」とし、値を設定しない（Ｓ３５０）。
【０１６５】
以上の処理により、書換不可のスレーブペーパ４を避けて書換可のスレーブペーパ４が連続している箇所を検索し、その箇所に選択コンテンツを表示させるようにできる。
【０１６６】
上記第二実施形態では、書換不可のスレーブペーパ４が中央付近のページにあったり、複数の書換不可のページが飛び石のように存在する場合には、選択コンテンツのページ数に見合う連続ページが存在せず、表示できない。そこで、次に、書換不可のスレーブペーパ４がある場合に、そのスレーブペーパ４の表示内容を他のスレーブペーパ４に移動させることにより、書換可のページを確保する第三実施形態について、図２２及び図２３を参照して説明する。図２２は、選択コンテンツ表示処理の中で実行される書換開始位置取得処理の第三実施形態のフローチャートである。図２３は、移動先検索処理のフローチャートである。
【０１６７】
ここで、ページ「２」、「５」のスレーブペーパ４には書換不可設定がされており、２ページのコンテンツが選択されているとして説明する。図２２に示すように、第三実施形態の書換開始位置取得処理が開始されると、まず初期設定として書換ページ番号に１を設定する（Ｓ３０１）。次に、その書換ページ番号に１を加算してから（Ｓ３０６）、書換ページ番号が接続ペーパ数以上かどうかを判断する（Ｓ３０７）。
【０１６８】
初回の処理では、書換ページ番号は「２」であり、接続ペーパ数は「５」であるから、書換ページ番号が接続ペーパ数に満たないので（Ｓ３０７：ＮＯ）、次に、書換ページ番号が選択コンテンツのページ数＋１よりも大きいかどうかを判断する（Ｓ３０９）。書換ページ番号が選択コンテンツのページ数に達していなければ（Ｓ３０９：ＮＯ）、その書換ページ番号に対応するスレーブペーパ４に書換可否情報を問い合わせるコマンド（ＲＥＱＲＲＷ）を送信し、スレーブペーパ４からの応答受信を待つ（Ｓ３１２）。本実施形態では、このコマンド送信は、（Ｓ，＊，［書換ページ番号に対応するペーパの製造番号］，ＲＥＱＲＲＷ）となる。
【０１６９】
次に、受信した応答内容から書換可否情報を取得し、その結果当該スレーブペーパ４が書換不可か否かを判断する（Ｓ３１３）。ここで、ページ番号「２」のスレーブペーパ４（Ｓ００２３４）には書換不可設定がされているので、書換不可であるから（Ｓ３１３：ＹＥＳ）、そのスレーブペーパ４（curpos＝２）の表示内容を後方に移動させるために移動先の検索処理を実行する（Ｓ３３０）。移動先検索処理の詳細は、図２３を参照して既に説明済であるので、ここでは省略するが、ここでは、ページ番号「５」のスレーブペーパ４には書換不可設定がされているので、ページ番号「４」のスレーブペーパ４が移動先（forwardpos＝４）となる。
【０１７０】
移動先検索処理が終了すると図２２に戻り、次に、移動先がみつかったかどうかを「forwardpos」が「null」でないかにより判断する（Ｓ３４１）。
【０１７１】
移動先が見つかった場合には（Ｓ３４１：ＹＥＳ）、書換ページ番号（初回の処理では「２」）に対応するペーパのＥＥＰＲＯＭ４４の一時保存ページデータ記憶領域４４３に格納されている一時保存ページデータを取得する（Ｓ３４２）。そして、移動先のスレーブペーパ４（ここでは４ページ目のスレーブペーパ４である［Ｓ０３７４１］）に一時保存ページデータを表示させるコマンドをデータと共に送信し、移動先ペーパから応答受信を待つ（Ｓ３４３）。ここでのコマンドは、（Ｓ，＊，［forwardposに対応するペーパの製造番号］，ＲＥＱＷＲＩＴＥ，ページデータ）となる。
【０１７２】
次に、移動先のスレーブペーパ４を書換不可に変更するコマンドを送信して移動先ペーパから応答受信を待つ（Ｓ３４４）。ここでのコマンドは、（Ｓ，＊，［書換ページ番号に対応するペーパの製造番号］，ＲＥＱＷＲＷ）となる。そして、書換ページ番号に対応するページのスレーブペーパ４を書換可に変更するコマンドを送信して移動先ペーパから応答受信を待つ（Ｓ３４５）。ここでのコマンドは、（Ｓ，＊，［forwardposに対応するペーパの製造番号］，ＲＥＱＷＲＷ）となる。
【０１７３】
以上の処理により、書換不可であった書換ページ番号（２）に対応するスレーブペーパ４［Ｓ００２３４］の表示内容が移動先ペーパ（４：「Ｓ０３７４１」）に移動され、書換ページ番号（２）のページは書換可となり、移動先ペーパ（４：「Ｓ０３７４１」）が書換不可となったので、次のページの処理をするためにＳ３０６に戻る。
【０１７４】
次の回の処理では、書換ページ番号は「３」となり（Ｓ３０６）、選択コンテンツのページ数（２）＋１である「３」を超えていないので（Ｓ３０９：ＮＯ）、書換可否情報をチェックして（Ｓ３１２，Ｓ３１３）、「３」ページ目のスレーブペーパ４は書換可であるから（Ｓ３１３：ＮＯ）、そのままＳ３０６に戻って書換ページ番号に１を加算し、次のページに対応するスレーブペーパ４について処理を行う。
【０１７５】
次の回の処理では、書換ページ番号は「４」となり（Ｓ３０６）、選択コンテンツのページ数（２）＋１である「３」より大きいので（Ｓ３０９：ＹＥＳ）、選択コンテンツのページ数分の書換可のスレーブペーパ４が２枚目から連続して確保できたから、書換開始位置「startpos」に２を設定して（Ｓ３２０）、選択コンテンツ表示処理に戻る。
【０１７６】
一方、書換ページ番号が接続ペーパ数に達してしまったら（Ｓ３０７：ＹＥＳ）、書換不可のスレーブペーパ４を移動させても選択コンテンツのページ数分の書換可のスレーブペーパ４が確保できなかったということなので、表示は行えないため、書換開始位置「startpos」を「null」とし、値を設定しない（Ｓ３５０）。
【０１７７】
以上の処理により、書換不可のスレーブペーパ４の表示内容を順に後端の方に移動させ、前方のスレーブペーパ４を書換可として、連続したスレーブペーパ４を確保したので、選択コンテンツを２頁目から表示させることができる。
【０１７８】
ところで、このように書換不可のスレーブペーパ４の表示内容を他のスレーブペーパ４に移動させる場合、参照しやすいように前方に寄せることもできる。このような変形例について図２４及び図２５を参照して説明する。図２４は、書換開始位置取得処理の第三実施形態の変形例のフローチャートである。図２５は、第三実施形態の変形例の書換開始位置取得処理の中で実行される移動先検索処理のフローチャートである。
【０１７９】
図２４に示すように、第三実施形態の変形例の書換開始位置取得処理が開始されると、まず、接続ペーパ数記憶領域３３１に記憶されている接続ペーパ数を書換ページ番号に設定する（Ｓ３０５）。これによって、最後尾の電子ペーパ５から順に処理がなされることになる。ここでは接続ペーパ数は「５」なので、書換ページ番号に「５」が設定される。次に、書換ページ番号が１以上かどうかを判断する（Ｓ３０８）。
【０１８０】
初回の処理では書換ページ番号は「５」なので、１以上であるから（Ｓ３０８：ＹＥＳ）、次に、接続ペーパ数から書換ページ番号を引いた値が、選択コンテンツのページ数以上かどうか、判断する（Ｓ３１１）。これは、すなわち選択コンテンツのページ数分書換可のスレーブペーパ４が連続して確保できたか否かの判断となる。
【０１８１】
ここで、選択コンテンツが２ページとすると、初回は接続ペーパ数も書換ページ番号も「５」なので差し引き「０」となり、コンテンツのページ数「２」よりも小さいので（Ｓ３１１：ＮＯ）、その書換ページ番号に対応するスレーブペーパ４に書換可否情報を問い合わせるコマンド（ＲＥＱＲＲＷ）を送信し、スレーブペーパ４からの応答受信を待つ（Ｓ３１２）。本実施形態では、このコマンド送信は、（Ｓ，＊，［書換ページ番号に対応するペーパの製造番号］，ＲＥＱＲＲＷ）となる。
【０１８２】
次に、受信した応答内容から書換可否情報を取得し、その結果当該スレーブペーパ４が書換不可か否かを判断する（Ｓ３１３）。ここで、書換ページ番号「５」のスレーブペーパ４［Ｓ０８５０７］が書換不可とすると（Ｓ３１３：ＹＥＳ）、そのスレーブペーパ４（curpos＝５）の表示内容を前方に移動させるために移動先の検索処理を実行する（Ｓ３４０）。ここで、図２５を参照して移動先検索処理について説明する。
【０１８３】
図２５に示すように、前方移動のための移動先検索処理では、まず書換ページ番号を２に設定する（Ｓ５０２）。これによって、マスタペーパ３の次に位置する２ページ目のスレーブペーパ４から処理がなされることになる。次に、書換ページ番号の値が、移動させたいスレーブペーパ４のページ番号（curpos）以上かどうか、すなわち、移動させたいスレーブペーパ４よりも前方にスレーブペーパ４が存在するか否かを判断する（Ｓ５０３）。今、移動させたいスレーブペーパ４のページ番号が「５」で、初回の処理は書換ページ番号は「２」であるから、書換ページ番号の値がcurposに満たないので（Ｓ５０３：ＮＯ）、その書換ページ番号に対応するスレーブペーパ４に書換可否情報を問い合わせるコマンド（ＲＥＱＲＲＷ）を送信し、スレーブペーパ４からの応答受信を待つ（Ｓ５０５）。本実施形態では、このコマンド送信は、（Ｓ，＊，［書換ページ番号に対応するペーパの製造番号］，ＲＥＱＲＲＷ）となる。
【０１８４】
受信した応答内容から書換可否情報を取得し、その結果当該スレーブペーパ４が書換可か否かを判断する（Ｓ５０６）。書換可の場合は（Ｓ５０６：ＹＥＳ）、当該スレーブペーパ４に移動先を決定する。すなわち、移動先ペーパページ番号「forwardpos」に書換ページ番号の値を設定して（Ｓ５０７）、書換開始位置取得処理に戻る。書換不可だった場合は（Ｓ５０６：ＮＯ）、そのスレーブペーパ４には移動できないので、次に位置するスレーブペーパ４に移動できるかどうかをチェックするために、書換ページ番号に１を加算して（Ｓ５０８）、Ｓ５０３に戻る。例えば、ページ番号「２」のスレーブペーパ４が書換不可である場合は、「３」のスレーブペーパ４についてチェックする。「３」のスレーブペーパ４が書換可であれば（Ｓ５０６：ＹＥＳ）、移動先「forwardpos」に「３」を設定する（Ｓ５０７）。「３」のスレーブペーパ４も書換不可である場合は（Ｓ５０６：ＮＯ）、「４」について（Ｓ５０８）、「４」のスレーブペーパ４も書換不可である場合は（Ｓ５０６：ＮＯ）「５」となる（Ｓ５０８）。
【０１８５】
書換ページ番号が「５」となると、移動させたいスレーブペーパ４（curpos）のページ番号に達してしまい（Ｓ５０３：ＮＯ）、移動させる先がないので、移動先「forwardpos」を「null」とし、値を設定せず（Ｓ５０４）、書換開始位置取得処理に戻る。
【０１８６】
以上の移動先検索処理で、書換不可のスレーブペーパ４を移動させる先のページ番号がforwardposとして取得されるので、図２４に戻り、次に、移動先がみつかったかどうかを「forwardpos」が「null」でないかにより判断する（Ｓ３４１）。
【０１８７】
次に、移動先のスレーブペーパ４を書換不可に変更するコマンドを送信して移動先ペーパから応答受信を待つ（Ｓ３４４）。ここでのコマンドは、（Ｓ，＊，［書換ページ番号に対応するペーパの製造番号］，ＲＥＱＷＲＷ）となる。そして、書換ページ番号に対応するスレーブペーパ４を書換可に変更するコマンドを送信して移動先ペーパから応答受信を待つ（Ｓ３４５）。ここでのコマンドは、（Ｓ，＊，［forwardposに対応するペーパの製造番号］，ＲＥＱＷＲＷ）となる。
【０１８８】
以上の処理により、書換不可であった書換ページ番号に対応するページのスレーブペーパ４（上の例では「５」）の表示内容が移動され、そのスレーブペーパ４は書換可となり、移動先のスレーブペーパ４（上の例では［３］）が書換不可となったので、次のページの処理をするために書換ページ番号から１を差し引いて（Ｓ３４７）、Ｓ３０８に戻る。
【０１８９】
２回目の処理では、書換ページ番号は「４」となり、接続ペーパ数から書換ページ番号を引いた値は「１」なので、初回と同様に処理を行う。３回目の処理で、書換ページ番号が「３」となると、接続ペーパ数から書換ページ番号を引いた値は「２」となる。従って、選択コンテンツのページ数に達したので（Ｓ３１１：ＹＥＳ）、選択コンテンツのページ数分の書換可のスレーブペーパ４が連続して確保できたことになるので、書換開始位置「startpos」に、接続ペーパ数「５」から選択コンテンツページ数「２」を引いた値に１を加算して「４」を設定し（Ｓ３２０）、選択コンテンツ表示処理に戻る。この結果、表示装置１の後方に寄せて選択コンテンツが表示させることとなる。ここでは、４ページ目のスレーブペーパ４から２ページ分のコンテンツが表示される。
【０１９０】
一方、書換ページ番号が１になってしまったら（Ｓ３０８：ＹＥＳ）、書換不可のスレーブペーパ４の表示内容を他のスレーブペーパ４に移動させても選択コンテンツのページ数分の書換可のスレーブペーパ４が連続して確保できなかったということなので、表示は行えないため、書換開始位置「startpos」を「null」とし、値を設定しない（Ｓ３５０）。
【０１９１】
以上の処理により、後方に位置していた書換不可のスレーブペーパ４の表示内容を、順に前方（マスタペーパ３の直後）のスレーブペーパ４に移動させ、後方のスレーブペーパ４を書換可として、連続したスレーブペーパ４を確保したので、選択コンテンツの最終頁が表示装置１の最終頁となるように表示させることができる。
【０１９２】
以上、書換不可のスレーブペーパ４が存在するために、２枚目のスレーブペーパ４から連続して選択コンテンツが表示できない場合に、表示させる方法について第一〜第三の実施形態を説明した。これらの実施形態は、単独で用いることもできるが、いくつか、あるいは全てを組み合わせて用いることもできる。そこで、全てを組み合わせた場合の処理について図２６を参照して説明する。図２６は、第一〜第三実施形態を組み合わせた第四実施形態の書換開始位置取得処理のフローチャートである。
【０１９３】
図２６に示すように、第四実施形態の書換開始位置取得処理では、まず図２１で説明した第二実施形態の書換開始位置取得処理を実行して、書換不可のスレーブペーパ４を避けて書換可のスレーブペーパ４が連続している箇所を検索し、その箇所に選択コンテンツを表示させることができるかどうかをチェックする（Ｓ６０１）。次に、この連続空き領域検索の書換開始位置取得処理によって書換開始位置「startpos」が取得できたか、すなわち、書換不可のスレーブペーパ４を避けて書換可のスレーブペーパ４が連続している箇所があったか否かを判断する（Ｓ６０２）。取得できていれば（Ｓ６０２：ＹＥＳ）、発見された箇所に選択コンテンツを表示させることができるので、選択コンテンツ表示処理に戻る。
【０１９４】
書換開始位置「startpos」が取得できなかった場合には（Ｓ６０２：ＮＯ）、図２２で説明した第三実施形態の書換開始位置取得処理又は図２４の変形例の書換開始位置取得処理を実行して、表示装置１の前方又は後方に書換不可スレーブペーパ４の表示内容を移動させ、移動元であったスレーブペーパ４を書換可にして連続ページを確保する（Ｓ６０３）。そして、この連続空き領域作成の書換開始位置取得処理によって書換開始位置「startpos」が取得できたか、すなわち、前方又は後方に選択コンテンツのページ数分だけ連続ページが確保できたか否かを判断する（Ｓ６０４）。取得できていれば（Ｓ６０４：ＹＥＳ）、確保された箇所に選択コンテンツを表示させることができるので、選択コンテンツ表示処理に戻る。
【０１９５】
書換開始位置「startpos」が取得できなかった場合には（Ｓ６０４：ＮＯ）、図１６で説明した第一実施形態の書換開始位置取得処理を実行し（Ｓ６０５）、一時的に書換不可のスレーブペーパ４を書換可に設定することにより、選択コンテンツ表示処理に戻って、連続して選択コンテンツが表示されるようにする。
【０１９６】
第四実施形態のように、組み合わせにより連続ページの確保を行うようにすれば、できるだけ書換不可のページが参照できなくなることを避けつつ、選択されたコンテンツが表示できない不便も解消される。
【０１９７】
尚、上記第一から第四の実施形態において、図９のＳ２０，Ｓ８０図１０でペーパ情報収集処理を実行するマスタペーパ３のＣＰＵ３１が本発明の位置情報取得手段及び識別情報取得手段に相当する。また、図１０のＳ３０で並び替え処理を実行するＣＰＵ３１が本発明の順序算出手段に相当する。また、図１５のＳ２２３，図１６のＳ３１２，図１９のＳ３１２，図２１のＳ３１２，図２２のＳ３１２，図２３のＳ３１２及び図２４のＳ３１２で書換可否情報取得処理を実行するマスタペーパ３のＣＰＵ３１が本発明の書換可否情報取得手段に相当する。図１２のＳ２１０及び図１３でデータ表示処理を実行するマスタペーパ３のＣＰＵ３１が本発明の割当手段及び表示制御手段に相当する。また、図１５のＳ３１４で一時保存データを取得するマスタペーパ３のＣＰＵ３１が本発明の退避手段に相当する。また、図１６のＳ３１７で起動され図１８で実行される一時書換終了タイマイベントを実行し、また、図２０のＳ１４０で復元操作が実行された場合にＳ１４２〜Ｓ１４５で表示の復元処理を実行するマスタペーパ３のＣＰＵ３１が本発明の復元手段に相当する。また、図１９のＳ３１５で一時書換中か否かの判断を行うマスタペーパ３のＣＰＵ３１が本発明の回数制御手段に相当する。また、図２１の書換開始位置取得処理を実行するマスタペーパ３のＣＰＵ３１が本発明の検索手段に相当する。また、図２２及び図２４のＳ３４３で表示用データを送信して表示させるマスタペーパ３のＣＰＵ３１が本発明の移動手段に相当する。また、図２２及び図２４のＳ３４４及びＳ３４５で移動元・移動先のペーパの書換可否情報を変更させるマスタペーパ３のＣＰＵ３１が本発明の書換可否情報変更手段に相当する。
【０１９８】
尚、上述の実施形態によれば綴じ部材２がリング状であると説明したが、電子ペーパ５の貫通孔に貫通する貫通部を備えている形状であればどのような形状でもよい。例えば棒状の貫通部を備えた綴じ部材により電子ペーパが綴じられていてもよい。
【０１９９】
尚、上述の実施形態によればスレーブペーパ４が、リング状の綴じ部材２により綴じられるものとして説明したが、本発明は特許文献１に記載されている電子バインダのように、電子バインダの本体の端子に電子ペーパが接続されるものに適用してもよい。
【０２００】
また、データ送信は（Ｓ，＊，Ｓ００２３４，ＲＥＱＷＲＩＴＥ，［表示用データ］）というように製造番号を識別子として通信を行う例をあげたが、（Ｓ，１２７，＊，ＲＥＱＷＲＩＴＥ，［表示用データ］）のように、環内位置を使って通信を行うこともできる。このような通信方法であれば、スレーブペーパの識別子を収集することなく、同様の処理が実行できる。
【０２０１】
さらに、上記実施形態において、図９の処理Ｓ１００の選択コンテンツ表示処理の後で、選択されたコンテンツの１ページ目が実際に表示されたペーパのページ番号もしくはペーパ番号をマスタペーパ３に表示させるようにしてもよい。このようにすれば、複数の電子ペーパ５が綴じられている状態で、途中から書換えが実施されてもユーザはどの電子ペーパ５から書き出されているかを探索することが容易となる。
【図面の簡単な説明】
【０２０２】
【図１】表示装置１の外観を模式的に示した外観図である。
【図２】表示装置１の位置検出手段である位置検出リング２４の説明図である。
【図３】表示装置１の構成を示すブロック図である。
【図４】マスタペーパ３のＲＡＭ３３のデータ構造を示す構成図である。
【図５】マスタペーパ３のＥＥＰＲＯＭ３４のデータ構造を示す構成図である。
【図６】接続ペーパ管理テーブル記憶領域３３２に記憶された接続ペーパ管理テーブルのデータ構造を示す構成図である。
【図７】スレーブペーパ４のＲＡＭ４３のデータ構造を示す構成図である。
【図８】スレーブペーパ４のＥＥＰＲＯＭ４４のデータ構造を示す構成図である。
【図９】マスタペーパ３のメイン処理（マスタペーパメイン処理）のフローチャートである。
【図１０】マスタペーパメイン処理の中で実行されるペーパ情報収集処理のフローチャートである。
【図１１】スレーブペーパ４のメイン処理（スレーブペーパメイン処理）のフローチャートである。
【図１２】マスタペーパメイン処理の中で実行される選択コンテンツ表示処理のフローチャートである。
【図１３】選択コンテンツ表示処理の中で実行されるデータ表示処理のフローチャートである。
【図１４】第一実施形態の変形例の選択コンテンツ表示処理のフローチャートである。
【図１５】変形例の選択コンテンツ表示処理の中で実行される書換不可ペーパ移動処理のフローチャートである。
【図１６】選択コンテンツ表示処理の中で実行される書換開始位置取得処理の第一実施形態のフローチャートである。
【図１７】第一実施形態の書換開始位置取得処理で使用される一時書換リストのデータ構造を示す模式図である。
【図１８】第一実施形態の書換開始位置取得処理により起動されるタイマイベントのフローチャートである。
【図１９】第一実施形態の書換開始位置取得処理の変形例のフローチャートである。
【図２０】使用者が一時書換の復元指示をする場合の第一実施形態の変形例のマスタペーパメイン処理のフローチャートである。
【図２１】選択コンテンツ表示処理の中で実行される書換開始位置取得処理の第二実施形態のフローチャートである。
【図２２】選択コンテンツ表示処理の中で実行される書換開始位置取得処理の第三実施形態のフローチャートである。
【図２３】移動先検索処理のフローチャートである。  移動先検索処理のフローチャートである。
【図２４】書換開始位置取得処理の第三実施形態の変形例のフローチャートである。
【図２５】第三実施形態の変形例の書換開始位置取得処理の中で実行される移動先検索処理のフローチャートである。
【図２６】第一〜第三実施形態を組み合わせた第四実施形態の書換開始位置取得処理のフローチャートである。
【図２７】電源供給用リング２１の断面を示す模式図である。  電源供給用リング２１の断面を示す模式図である。
【図２８】位置検出用リング２４の断面を示す模式図である。
【図２９】電源供給用貫通孔６１に電源供給用リング２１が貫通されている状態を示す模式図である。
【符号の説明】
【０２０３】
１      表示装置
２      綴じ部材
３      マスタペーパ
４      スレーブペーパ
２１      電源供給リング
２２      接地リング
２３      通信用リング
２４      位置検出リング
３０      タッチパネル
３１      ＣＰＵ
３３      ＲＡＭ
３３２      接続ペーパ管理テーブル記憶領域
３４      ＥＥＰＲＯＭ
３４１      マスタペーパ製造番号記憶領域
３４２      書換可否情報記憶領域
３５      内部通信部
３６      表示部
３８      メモリカード
３９      開閉検出部
４０      タッチパネル
４１      ＣＰＵ
４３      ＲＡＭ
４３１      接続位置記憶領域
４３２      ペーパページ番号記憶領域
４３３      ページデータ展開領域
４４      ＥＥＰＲＯＭ
４４１      スレーブペーパ製造番号記憶領域
４４２      書換可否情報記憶領域
４４３      一時保存ページデータ記憶領域
４５      内部通信部
４６      表示部
４７      位置検出部
【図１】
2008058924.tif 000003
【図２】
2008058924.tif 000004
【図３】
2008058924.tif 000005
【図４】
2008058924.tif 000006
【図５】
2008058924.tif 000007
【図６】
2008058924.tif 000008
【図７】
2008058924.tif 000009
【図８】
2008058924.tif 000010
【図９】
2008058924.tif 000011
【図１０】
2008058924.tif 000012
【図１１】
2008058924.tif 000013
【図１２】
2008058924.tif 000014
【図１３】
2008058924.tif 000015
【図１４】
2008058924.tif 000016
【図１５】
2008058924.tif 000017
【図１６】
2008058924.tif 000018
【図１７】
2008058924.tif 000019
【図１８】
2008058924.tif 000020
【図１９】
2008058924.tif 000021
【図２０】
2008058924.tif 000022
【図２１】
2008058924.tif 000023
【図２２】
2008058924.tif 000024
【図２３】
2008058924.tif 000025
【図２４】
2008058924.tif 000026
【図２５】
2008058924.tif 000027
【図２６】
2008058924.tif 000028
【図２７】
2008058924.tif 000029
【図２８】
2008058924.tif 000030
【図２９】
2008058924.tif 000031